(57)【要約】  通信のための方法は、複数の通信制御ビームのいずれかが機能していないかどうかを決定することと、複数の通信制御ビーム中の少なくとも１つのアクティブな通信制御ビームを識別することと、少なくとも１つのアクティブな通信制御ビーム上で部分的ビームペアリンク（ＢＰＬ）損失通信を通信することとを含む。
2020534739.tif 000002
【特許請求の範囲】
【請求項１】
複数の通信制御ビームのいずれかが機能していないかどうかを決定することと、
前記複数の通信制御ビーム中の少なくとも１つのアクティブな通信制御ビームを識別することと、
前記少なくとも１つのアクティブな通信制御ビーム上で部分的ビームペアリンク（ＢＰＬ）損失通信を通信することと
を備える、通信のための方法。
【請求項２】
前記部分的ビームペアリンク（ＢＰＬ）損失通信を受信すると、非周期的チャネル状態情報基準信号（ＣＳＩ−ＲＳ）通信をスケジュールし、非周期的ビームステータス報告をトリガすることと、
新しいビーム情報とともに前記ビームステータス報告を送信することと、
前記ビームステータス報告に基づいて新しいＢＰＬ追加メッセージを送信することと
をさらに備える、請求項１に記載の方法。
【請求項３】
前記部分的ビームペアリンク（ＢＰＬ）損失通信を受信すると、測定が周期的チャネル状態情報基準信号（ＣＳＩ−ＲＳ）通信と周期的同期信号（ＳＳ）通信とのうちの少なくとも１つに基づく非周期的ビームステータス報告をトリガすることと、
新しいビーム情報とともに前記ビームステータス報告を送信することと、
前記ビームステータス報告に基づいて新しいＢＰＬ追加メッセージを送信することと
をさらに備える、請求項１に記載の方法。
【請求項４】
前記部分的ビームペアリンク（ＢＰＬ）損失通信を受信すると、基地局構成を更新し、ビーム障害回復プロセスに従うこと
をさらに備える、請求項１に記載の方法。
【請求項５】
前記少なくとも１つのアクティブな通信制御ビーム上の前記部分的ビームペアリンク（ＢＰＬ）損失通信が、物理アップリンク制御チャネル（ＰＵＣＣＨ）通信を使用して送られる、請求項１に記載の方法。
【請求項６】
前記少なくとも１つのアクティブな通信制御ビーム上の前記部分的ビームペアリンク（ＢＰＬ）損失通信が、物理アップリンク共有チャネル（ＰＵＳＣＨ）通信におけるアップリンク（ＵＬ）媒体アクセス制御（ＭＡＣ）制御要素（ＣＥ）を使用して送られる、請求項１に記載の方法。
【請求項７】
前記部分的ビームペアリンク（ＢＰＬ）損失通信が、第１のノード上の通信デバイスのために第２のノード上の通信デバイスに送られ、前記第１のノード上の前記通信デバイスが前記部分的ビームペアリンク（ＢＰＬ）損失に遭遇している、請求項１に記載の方法。
【請求項８】
前記第２のノード上の前記通信デバイスが、前記第１のノード上の前記通信デバイスに前記部分的ビームペアリンク（ＢＰＬ）損失を通知する、請求項７に記載の方法。
【請求項９】
複数の通信制御ビームのいずれかが機能していないかどうかを決定することように構成されたユーザ機器（ＵＥ）と、
前記複数の通信制御ビーム中の少なくとも１つのアクティブな通信制御ビームを識別するように構成された前記ＵＥと、
前記少なくとも１つのアクティブな通信制御ビーム上で部分的ビームペアリンク（ＢＰＬ）損失通信を通信するように構成された前記ＵＥと
を備える、通信のためのシステム。
【請求項１０】
前記部分的ビームペアリンク（ＢＰＬ）損失通信を受信すると、非周期的チャネル状態情報基準信号（ＣＳＩ−ＲＳ）通信をスケジュールするように構成され、ＵＥからの非周期的ビームステータス報告をトリガするように構成された基地局と、
新しいビーム情報とともに前記ビームステータス報告を前記基地局に送信するように構成された前記ＵＥと、
前記ビームステータス報告に基づいて新しいＢＰＬ追加メッセージを前記ＵＥに送信するように構成された前記基地局と
をさらに備える、請求項９に記載のシステム。
【請求項１１】
前記部分的ビームペアリンク（ＢＰＬ）損失通信を受信すると、測定が周期的チャネル状態情報基準信号（ＣＳＩ−ＲＳ）通信と周期的同期信号（ＳＳ）通信とのうちの少なくとも１つに基づく前記ＵＥからの非周期的ビームステータス報告をトリガするように構成された基地局と、
新しいビーム情報とともに前記ビームステータス報告を前記基地局に送信するように構成された前記ＵＥと、
前記ビームステータス報告に基づいて新しいＢＰＬ追加メッセージを前記ＵＥに送信するように構成された前記基地局と
をさらに備える、請求項９に記載のシステム。
【請求項１２】
前記部分的ビームペアリンク（ＢＰＬ）損失通信を受信すると、基地局構成を更新し、ビーム障害回復プロセスに従うように構成された基地局
をさらに備える、請求項９に記載のシステム。
【請求項１３】
前記少なくとも１つのアクティブな通信制御ビーム上の前記部分的ビームペアリンク（ＢＰＬ）損失通信が、物理アップリンク制御チャネル（ＰＵＣＣＨ）通信を使用して送られる、請求項９に記載のシステム。
【請求項１４】
前記少なくとも１つのアクティブな通信制御ビーム上の前記部分的ビームペアリンク（ＢＰＬ）損失通信が、物理アップリンク共有チャネル（ＰＵＳＣＨ）通信におけるアップリンク（ＵＬ）媒体アクセス制御（ＭＡＣ）制御要素（ＣＥ）を使用して送られる、請求項９に記載のシステム。
【請求項１５】
前記部分的ビームペアリンク（ＢＰＬ）損失通信が、第１のノード上の通信デバイスのために第２のノード上の通信デバイスに送られ、前記第１のノード上の前記通信デバイスが前記部分的ビームペアリンク（ＢＰＬ）損失に遭遇している、請求項９に記載のシステム。
【請求項１６】
前記第２のノード上の前記通信デバイスが、前記第１のノード上の前記通信デバイスに前記ＵＥとの前記部分的ビームペアリンク（ＢＰＬ）損失を通知する、請求項１５に記載のシステム。
【請求項１７】
複数の通信制御ビームのいずれかが機能していないかどうかを決定することと、
前記複数の通信制御ビーム中の少なくとも１つのアクティブな通信制御ビームを識別することと、
第１の通信デバイスと第１の通信ノードとの間で部分的ビームペアリンク（ＢＰＬ）損失が起こったとき、部分的ビームペアリンク（ＢＰＬ）損失通信を通信することと、前記部分的ビームペアリンク（ＢＰＬ）損失通信が、前記第１の通信デバイスとの前記部分的ビームペアリンク（ＢＰＬ）損失に遭遇している前記第１の通信ノードのために前記第１の通信デバイスと第２の通信ノードとの間で起こっている、
を備える、通信のための方法。
【請求項１８】
前記部分的ビームペアリンク（ＢＰＬ）損失通信を受信すると、非周期的チャネル状態情報基準信号（ＣＳＩ−ＲＳ）通信をスケジュールし、非周期的ビームステータス報告をトリガすることと、
新しいビーム情報とともに前記ビームステータス報告を送信することと、
前記ビームステータス報告に基づいて新しいＢＰＬ追加メッセージを送信することと
をさらに備える、請求項１７に記載の方法。
【請求項１９】
前記部分的ビームペアリンク（ＢＰＬ）損失通信を受信すると、測定が周期的チャネル状態情報基準信号（ＣＳＩ−ＲＳ）通信と周期的同期信号（ＳＳ）通信とのうちの少なくとも１つに基づく非周期的ビームステータス報告をトリガすることと、
新しいビーム情報とともに前記ビームステータス報告を送信することと、
前記ビームステータス報告に基づいて新しいＢＰＬ追加メッセージを送信することと
をさらに備える、請求項１７に記載の方法。
【請求項２０】
前記部分的ビームペアリンク（ＢＰＬ）損失通信を受信すると、基地局構成を更新し、ビーム障害回復プロセスに従うこと
をさらに備える、請求項１７に記載の方法。
【請求項２１】
物理アップリンク制御チャネル（ＰＵＣＣＨ）通信を使用して前記少なくとも１つのアクティブな通信制御ビーム上で前記部分的ビームペアリンク（ＢＰＬ）損失通信を送ることをさらに備える、請求項１７に記載の方法。
【請求項２２】
物理アップリンク共有チャネル（ＰＵＳＣＨ）通信におけるアップリンク（ＵＬ）媒体アクセス制御（ＭＡＣ）制御要素（ＣＥ）を使用して前記少なくとも１つのアクティブな通信制御ビーム上で前記部分的ビームペアリンク（ＢＰＬ）損失通信をさらに備える、請求項１７に記載の方法。
【請求項２３】
前記第２の通信ノードが前記第１の通信ノードに前記部分的ビームペアリンク（ＢＰＬ）損失を通知することをさらに備える、請求項１７に記載の方法。
【請求項２４】
通信のためのコンピュータ実行可能コードを記憶する非一時的コンピュータ可読媒体であって、前記コードは、
複数の通信制御ビームのいずれかが機能していないかどうかを決定することと、
前記複数の通信制御ビーム中の少なくとも１つのアクティブな通信制御ビームを識別することと、
前記少なくとも１つのアクティブな通信制御ビーム上で部分的ビームペアリンク（ＢＰＬ）損失通信を通信することと
を行うためにプロセッサによって実行可能である、非一時的コンピュータ可読媒体。
【請求項２５】
前記コードが、
前記部分的ビームペアリンク（ＢＰＬ）損失通信を受信すると、非周期的チャネル状態情報基準信号（ＣＳＩ−ＲＳ）通信をスケジュールし、非周期的ビームステータス報告をトリガすることと、
新しいビーム情報とともに前記ビームステータス報告を送信することと、
前記ビームステータス報告に基づいて新しいＢＰＬ追加メッセージを送信することと
を行うためにプロセッサによって実行可能である、請求項２４に記載の非一時的コンピュータ可読媒体。
【請求項２６】
前記コードは、
前記部分的ビームペアリンク（ＢＰＬ）損失通信を受信すると、測定が周期的チャネル状態情報基準信号（ＣＳＩ−ＲＳ）通信と周期的同期信号（ＳＳ）通信とのうちの少なくとも１つに基づく非周期的ビームステータス報告をトリガすることと、
新しいビーム情報とともに前記ビームステータス報告を送信することと、
前記ビームステータス報告に基づいて新しいＢＰＬ追加メッセージを送信することと
を行うためにプロセッサによって実行可能である、請求項２４に記載の非一時的コンピュータ可読媒体。
【請求項２７】
前記コードは、
前記部分的ビームペアリンク（ＢＰＬ）損失通信を受信すると、基地局構成を更新し、ビーム障害回復プロセスに従うこと
を行うためにプロセッサによって実行可能である、請求項２４に記載の非一時的コンピュータ可読媒体。
【請求項２８】
前記コードが、
物理アップリンク制御チャネル（ＰＵＣＣＨ）通信を使用して前記少なくとも１つのアクティブな通信制御ビーム上で前記部分的ビームペアリンク（ＢＰＬ）損失通信を送ること
を行うためにプロセッサによって実行可能である、請求項２４に記載の非一時的コンピュータ可読媒体。
【請求項２９】
前記コードが、
物理アップリンク共有チャネル（ＰＵＳＣＨ）通信におけるアップリンク（ＵＬ）媒体アクセス制御（ＭＡＣ）制御要素（ＣＥ）を使用して前記少なくとも１つのアクティブな通信制御ビーム上で前記部分的ビームペアリンク（ＢＰＬ）損失通信を送ること
を行うためにプロセッサによって実行可能である、請求項２４に記載の非一時的コンピュータ可読媒体。
【請求項３０】
前記コードは、
第１のノード上の通信デバイスのために第２のノード上の通信デバイスに前記部分的ビームペアリンク（ＢＰＬ）損失通信を送ること、前記第１のノード上の前記通信デバイスが前記部分的ビームペアリンク（ＢＰＬ）損失に遭遇している、
を行うためにプロセッサによって実行可能である、請求項２４に記載の非一時的コンピュータ可読媒体。
【発明の詳細な説明】
【技術分野】
【０００１】
関連出願
[0001]本出願は、以下に完全に記載されるかのようにおよびすべての適用可能な目的のためにその内容がそれの全体として本明細書によって参照により本明細書に組み込まれる、２０１７年９月１６日に出願された「ＳＹＳＴＥＭＳ  ＡＮＤ  ＭＥＴＨＯＤＳ  ＦＯＲ  ＣＯＭＭＵＮＩＣＡＴＩＯＮ  ＢＥＡＭ  ＬＯＳＳ  ＲＥＯＶＥＲＹ」と題する米国仮特許出願第６２／５５９，５１９号の優先権および利益を主張する。
【０００２】
[0002]以下で論じられる技術は、ワイヤレス通信システムに関し、より詳細には通信ビーム損失回復に関する。実施形態は、利用可能な通信制御ビームのすべてよりも少数が機能しなくなり得る場合の通信ビーム回復のためのシステムおよび方法を可能にし、提供する。
【背景技術】
【０００３】
序論
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、異なるワイヤレスデバイスが都市、国家、地域、さらには地球規模で通信することを可能にする共通プロトコルを提供するために、様々な電気通信規格において採用されている。例示的な電気通信規格はロングタームエボリューション（ＬＴＥ（登録商標））である。ＬＴＥ技術に対する向上の一例は５Ｇと呼ばれ、新無線（ＮＲ）とも時々呼ばれる。５ＧおよびＮＲという用語は、たとえば、追加の特徴および接続性を提供するためのワイヤレスインターフェースに対する様々な向上、処理改善、およびより高い帯域幅の使用可能化を含む、ＬＴＥ技術の向上を表す。
【０００５】
[0005]例として、ワイヤレス多元接続通信システムは、場合によってはユーザ機器（ＵＥ）として知られる、複数の通信デバイスのための通信をそれぞれ同時にサポートする、いくつかの基地局を含み得る。基地局は、（たとえば、基地局からＵＥへの送信のために）ダウンリンクチャネル上でＵＥと通信し、（たとえば、ＵＥから基地局への送信のために）アップリンクチャネル上でＵＥと通信し得る。ＵＥは、ＵＥが基地局識別コード（セルＩＤ）、システムタイミング情報、フレームアラインメント情報などをそれから収集する同期信号を検出することによって基地局をロケートし得る。受信機が大いに信号強度および雑音制限されているシステム（たとえば、ミリメートル波システム）では、検出を改善するようにカバレージ拡張を提供するために、ビームフォーミングされた同期信号がセルカバレージエリアにわたって掃引されることがある。５ＧまたはＮＲ通信システムでは、通信ビーム障害に対してロバストなシステムを提供するために複数の通信制御ビームがサポートされ得る。
【発明の概要】
【０００６】
[0006]添付の特許請求の範囲内のシステム、方法およびデバイスの様々な実装形態は、それぞれいくつかの態様を有し、それらのうちのいずれの単一の態様も、単独では本明細書で説明される望ましい属性を担わない。添付の特許請求の範囲を限定することなしに、いくつかの顕著な特徴が本明細書で説明される。
【０００７】
[0007]本明細書で説明される主題の１つまたは複数の実装形態の詳細が、添付の図面および以下の説明に記載されている。他の特徴、態様、および利点は、説明、図面、および特許請求の範囲から明らかになるであろう。以下の図の相対寸法は一定の縮尺で描かれていないことがあることに留意されたい。
【０００８】
[0008]本開示の一態様は、複数の通信制御ビームのいずれかが機能していないかどうかを決定することと、複数の通信制御ビーム中の少なくとも１つのアクティブな通信制御ビームを識別することと、少なくとも１つのアクティブな通信制御ビーム上で部分的ビームペアリンク（ＢＰＬ：beam pair link）損失通信を通信することとを含む通信のための方法を提供する。
【０００９】
[0009]本開示の別の態様は、複数の通信制御ビームのいずれかが機能していないかどうかを決定することように構成されたユーザ機器（ＵＥ）と、複数の通信制御ビーム中の少なくとも１つのアクティブな通信制御ビームを識別するように構成されたＵＥと、少なくとも１つのアクティブな通信制御ビーム上で部分的ビームペアリンク（ＢＰＬ）損失通信を通信するように構成されたＵＥとを含む通信のためのシステムを提供する。
【００１０】
[0010]本開示の別の態様は、複数の通信制御ビームのいずれかが機能していないかどうかを決定することと、複数の通信制御ビーム中の少なくとも１つのアクティブな通信制御ビームを識別することと、第１の通信デバイスと第１の通信ノードとの間で部分的ビームペアリンク（ＢＰＬ）損失が起こったとき、部分的ビームペアリンク（ＢＰＬ）損失通信を通信することと、部分的ビームペアリンク（ＢＰＬ）損失通信が、第１の通信デバイスとの部分的ビームペアリンク（ＢＰＬ）損失に遭遇している第１の通信ノードのために第１の通信デバイスと第２の通信ノードとの間で起こっている、を含む通信のための方法を提供する。
【００１１】
[0011]本開示の別の態様は、通信のためのコンピュータ実行可能コードを記憶する非一時的コンピュータ可読媒体を提供し、コードは、複数の通信制御ビームのいずれかが機能していないかどうかを決定することと、複数の通信制御ビーム中の少なくとも１つのアクティブな通信制御ビームを識別することと、少なくとも１つのアクティブな通信制御ビーム上で部分的ビームペアリンク（ＢＰＬ）損失通信を通信することとを行うためにプロセッサによって実行可能である。
【００１２】
[0012]本開示の別の態様は、複数の通信制御ビームのいずれかが機能していないかどうかを決定するための手段と、複数の通信制御ビーム中の少なくとも１つのアクティブな通信制御ビームを識別するための手段と、少なくとも１つのアクティブな通信制御ビーム上で部分的ビームペアリンク（ＢＰＬ）損失通信を通信するための手段とを含む通信のためのデバイスを提供する。
【００１３】
[0013]図において、別段に規定されていない限り、様々な図の全体を通して、同様の参照番号は同様の部分を指す。「１０２ａ」または「１０２ｂ」などの英文字名称をもつ参照番号について、英文字名称は、同じ図中に存在する２つの同様の部分または要素を区別し得る。参照番号が、すべての図において同じ参照番号を有するすべての部分を包含することが意図される場合、参照番号に対する英文字名称は省略され得る。
【図面の簡単な説明】
【００１４】
【図１】[0014]本開示の様々な態様による、ネットワークアーキテクチャの一例を示す図。
【図２】[0015]本開示の様々な態様による、アクセスネットワークの一例を示す図。
【図３】[0016]本開示の様々な態様による、ＬＴＥにおけるダウンリンク（ＤＬ）フレーム構造の一例を示す図。
【図４】[0017]本開示の様々な態様による、ＬＴＥにおけるＵＬフレーム構造の一例を示す図。
【図５】[0018]本開示の様々な態様による、ユーザプレーンおよび制御プレーンのための無線プロトコルアーキテクチャの一例を示す図。
【図６】[0019]本開示の様々な態様による、アクセスネットワーク中の発展型ノードＢおよびユーザ機器の一例を示す図。
【図７】[0020]本開示の様々な態様による、デバイス間通信システムの図。
【図８】[0021]低周波ワイヤレス通信システム（たとえば、ＬＴＥ）におけるビームフォーミングの一例を示す図。
【図９】[0022]高周波ワイヤレス通信システム（たとえば、ｍｍＷシステム）におけるビームフォーミングを示す図。
【図１０】[0023]本開示の様々な態様による、通信システムを示す図。
【図１１Ａ】[0024]本開示の様々な態様による、ワイヤレス通信において使用するための基地局とＵＥとを含む通信システムの図。
【図１１Ｂ】[0025]本開示の様々な態様による、ワイヤレス通信において使用するための基地局とＵＥとを含む通信システムの図。
【図１２】[0026]本開示の様々な態様による、通信のための方法の一例を示すフローチャート。
【図１３】[0027]本開示の様々な態様による、通信システムのための装置の機能ブロック図。
【図１４】[0028]本開示の様々な態様による、通信システムのためのコールフロー図。
【図１５】[0029]本開示の様々な態様による、通信システムのためのコールフロー図。
【図１６】[0030]本開示の様々な態様による、通信システムのためのコールフロー図。
【図１７】[0031]本開示の様々な態様による、通信システムのための図。
【図１８】[0032]本開示の様々な態様による、通信システムのためのコールフロー図。
【発明を実施するための形態】
【００１５】
[0033]「例示的」という単語は、本明細書では、「例、事例、または例示の働きをすること」を意味するために使用される。「例示的」として本明細書で説明されたいかなる態様も、必ずしも他の態様よりも好適または有利であると解釈されるべきではない。
【００１６】
[0034]次に、様々な装置および方法を参照しながら電気通信システムのいくつかの態様が提示される。これらの装置および方法は、以下の発明を実施するための形態において説明され、（「要素」と総称される）様々なブロック、構成要素、回路、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例およびシステム全体に課される設計制約に依存する。
【００１７】
[0035]例として、要素、または要素の任意の部分、または要素の任意の組合せは、１つまたは複数のプロセッサを含む「処理システム」として実装され得る。プロセッサの例は、マイクロプロセッサ、マイクロコントローラ、グラフィックス処理ユニット（ＧＰＵ）、中央処理ユニット（ＣＰＵ）、アプリケーションプロセッサ、デジタル信号プロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される様々な機能を実施するように構成された他の好適なハードウェアを含む。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェア構成要素、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１８】
[0036]したがって、１つまたは複数の例示的な実施形態では、説明される機能は、ハードウェア、ソフトウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、光ディスクストレージ、磁気ディスクストレージ、他の磁気ストレージデバイス、上述のタイプのコンピュータ可読媒体の組合せ、あるいはコンピュータによってアクセスされ得る命令またはデータ構造の形態でコンピュータ実行可能コードを記憶するために使用され得る任意の他の媒体を備えることができる。
【００１９】
[0037]以下の説明は例を提供するものであり、特許請求の範囲に記載される範囲、適用可能性、または例を限定するものではない。本開示の範囲から逸脱することなく、論じられる要素の機能および構成において変更が行われ得る。様々な例は、適宜、様々な手順または構成要素を省略、置換、または追加し得る。たとえば、説明される方法は、説明される順序とは異なる順序で実施されてよく、様々なステップが追加、省略、または組み合わされ得る。また、いくつかの例に関して説明される特徴は、他の例において組み合わせられ得る。
【００２０】
[0038]本開示の例示的な実施形態は、複数の通信制御ビームがあり得、通信制御ビームのすべてよりも少数が機能しなくなり得る場合の通信ビーム回復のためのシステムおよび方法を提供することが望ましい、ミリメートル波通信システムにおいて概して使用されるビームフォーミングシステムを対象とする。そのような方法およびシステムでは、通信制御ビームのすべてよりも少数が機能しなくなり得る場合、この障害は部分的ビームペアリンク（ＢＰＬ）損失と呼ばれることがあり、ここでは、複数の通信制御ビームのうちのサブセットが機能しなくなり、基地局とＵＥとの間で少なくとも１つのＢＰＬが確立されたまま残り得る。
【００２１】
[0039]「ビーム管理」という用語は、ダウンリンク（ＤＬ）およびアップリンク（ＵＬ）送信ならびに受信のために使用され得る送受信ポイント（ＴＲＰ：transmit receive point）および／もしくはユーザ機器（ＵＥ）ビームを収集し維持するためのレイヤ１（Ｌ１）またはレイヤ２  Ｌ２）（開放型システム間相互接続７レイヤモデル）手順のセットを概して指す。
【００２２】
[0040]「ビーム決定」という用語は、ＴＲＰまたはＵＥが、それ自体の送信および受信通信ビームを選択する状況を指す。
【００２３】
[0041]「ビーム測定」という用語は、ＴＲＰまたはＵＥが、受信されたビームフォーミングされた信号の特性を測定する状況を指す。
【００２４】
[0042]「ビーム報告」という用語は、ＵＥが、ビーム測定プロセスに基づいて、ビームフォーミングされた信号の情報を報告することを概して指す。
【００２５】
[0043]「ビーム掃引」という用語は、ビームが所定の様式で時間間隔中に送信および／または受信される空間エリアをカバーする動作を指す。
【００２６】
[0044]本明細書で使用されるとき、「サービングビーム」という用語は、アクティブな通信ビーム、および／または２つの通信デバイス間のアクティブな通信ＢＰＬを指す。
【００２７】
[0045]本明細書で使用されるとき、「ターゲットビーム」または「候補ビーム」という用語は、別の利用可能な通信ビーム、および／または通信のために利用可能であり得る２つの通信デバイス間の利用可能な通信ＢＰＬを指す。
【００２８】
[0046]本明細書で使用されるとき、無線リンク障害（ＲＬＦ：radio link failure）という用語は、２つの通信デバイス間のサービングビーム上の無線通信の障害を指す。
【００２９】
[0047]ビーム管理（ＢＭ：beam management）のためにチャネル状態情報基準信号（ＣＳＩ−ＲＳ）信号と同期信号（ＳＳ信号）の両方が使用され得る。
【００３０】
[0048]ＢＭ手順は、ＣＳＩ−ＲＳおよび／またはＳＳブロックからのＬ１−ＲＳＲＰ（基準信号受信電力）報告をサポートする。
【００３１】
[0049]Ｌ個のブロックをもつＳＳバーストセットが周期的に送信される。ＣＳＩ−ＲＳの送信は、それが接続セットアップ中に無線リソース制御（ＲＲＣ）メッセージを通して基地局によってＵＥのために構成された場合、周期的であり得るか、またはそれが基地局によってスケジュールされた場合、非周期的であり得る。ＣＳＩ−ＲＳの送信はまた、それが接続セットアップ中にＲＲＣメッセージを通してＵＥのために構成され、基地局によってアクティブ／非アクティブにされる場合、半永続的であり得る。
【００３２】
[0050]ＵＥのビーム測定報告（たとえばＬ１−ＲＳＲＰ報告）は、それが接続セットアップ中にＲＲＣメッセージを通してＵＥのために構成された場合、周期的であり得るか、または５ＧもしくはＮＲのために、それが、基地局トリガされる非周期的ビーム報告を少なくともサポートする場合、非周期的であり得る。
【００３３】
[0051]ＵＥのビーム測定報告（たとえばＬ１−ＲＳＲＰ報告）は、それが接続セットアップ中にＲＲＣメッセージを通してＵＥのために構成され、基地局によってアクティブ／非アクティブにされる場合、半永続的であり得る。
【００３４】
[0052]ＣＳＩ−ＲＳとＳＳの両方は、ＵＥのビーム測定報告に基づき得、ここで、基地局は、サービングビームを更新するための決定を行う。
【００３５】
[0053]現在、少なくともネットワークトリガされる非周期的ビーム報告がサポートされている。非周期的ビーム報告は、いくつかの条件下でサポートされることもある。
【００３６】
[0054]ＬＴＥでは、唯一のＬ１要求信号は、物理アップリンク制御チャネル（ＰＵＣＣＨ）によるスケジューリング要求（ＳＲ）である。ＳＲは、ＭＡＣレイヤにおけるバッファステータス報告（ＢＳＲ）ＭＡＣ  ＣＥ（媒体アクセス制御制御要素）によってトリガされ得る。ＢＳＲは、アップリンク（ＵＬ）データトラフィックまたはＲＲＣシグナリングメッセージによりトリガされ得る。
【００３７】
[0055]ビーム障害検出について、ＵＥは、ビーム障害トリガ条件が満たされたかどうかを査定するためにビーム障害検出基準信号（ＲＳ）を監視する。新しい候補ビーム識別について、ＵＥは、新しい候補ビームを発見するためにビーム識別ＲＳを監視する。ビーム識別ＲＳは、それがネットワークによって構成された場合は、ビーム管理のために周期的ＣＳＩ−ＲＳを含み、ビーム管理においてＳＳブロックも使用される場合は、サービングセル内に周期的ＣＳＩ−ＲＳおよびＳＳブロックを含む。
【００３８】
[0056]ビーム障害回復要求送信のために、ＵＥは、物理ランダムアクセスチャネル（ＰＲＡＣＨ）、ＰＲＡＣＨ様の通信（たとえば、ＰＲＡＣＨ通信とはプリアンブルシーケンスのために異なるパラメータを使用する通信）またはＰＵＣＣＨから、新しい識別された候補ＴＸビームを報告する。ＵＥは、ビーム障害回復要求について基地局の応答を監視し得る。ＵＥは、ＵＥが識別した候補ビームのＲＳと空間擬似コロケートされた（ＱＣＬ’ｅｄ：spatial quasi co-located）復調基準信号（ＤＭＲＳ）とともにＮＲ−ＰＤＣＣＨ（新無線物理ダウンリンク制御チャネル）を監視し得る。
【００３９】
[0057]現在、ＵＥは、現在のサービングビームおよび／またはサービング制御チャネルに擬似コロケート（ＱＣＬ）され得る周期的参照ビームを監視する。ＵＥが、すべての可能な制御ビームのビーム障害を検出した場合、ＵＥは、次いで、次の周期的ＣＳＩ−ＲＳまたはＳＳ機会において新しい１つまたは複数の候補ビームについて探索する。ＵＥが、新しい１つまたは複数の候補ビームを検出した場合、ＵＥは、次いで、識別された１つまたは複数の候補ビームに関する情報とともにビーム障害回復要求を基地局に送信する。ＵＥは、次いで、ビーム障害回復要求に対する応答について基地局を監視する。このプロセスは、完全なビームペアリンク（ＢＰＬ）損失または障害があるときに概して実施され、ＵＥがそれのビーム回復手順を開始する前に基地局からのＣＳＩ−ＲＳまたはＳＳ信号を待つことを概して要求し、したがって、ＵＥが基地局からのＣＳＩ−ＲＳまたはＳＳを待つ間、少なくとも１つの通信周期にわたって何らかのビーム回復手順を遅延させる。
【００４０】
[0058]図１は、ＬＴＥネットワークアーキテクチャ１００を示す図である。ＬＴＥネットワークアーキテクチャ１００は発展型パケットシステム（ＥＰＳ）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ）１０４と、発展型パケットコア（ＥＰＣ）１１０と、事業者のインターネットプロトコル（ＩＰ）サービス１２２とを含み得る。ＥＰＳ１００は他のアクセスネットワークと相互接続することができるが、簡単のために、それらのエンティティ／インターフェースは図示されていない。図示されているように、ＥＰＳ１００はパケット交換サービスを提供するが、当業者なら容易に諒解するように、本開示全体にわたって提示される様々な概念は、回線交換サービスを提供するネットワークに拡張され得る。その上、一例としてＬＴＥネットワークが示されているが、たとえば５Ｇネットワークのみを含む、他のタイプのネットワークも使用され得る。
【００４１】
[0059]Ｅ−ＵＴＲＡＮ１０４は、ｇノードＢ（ｇＮＢ）、ホームノードＢ、ホームｅノードＢ、または何らかの他の好適な用語を使用する基地局を含み得る、たとえば発展型ノードＢ（ｅＮＢ）１０６および他のｅＮＢ１０８などの基地局１０６を含む。たとえば、５Ｇまたは新無線（ＮＲ）ネットワークでは、基地局はｇＮＢと呼ばれることがある。Ｅ−ＵＴＲＡＮ１０４はまた、マルチキャスト協調エンティティ（ＭＣＥ）１２８を含み得る。ｅＮＢ１０６は、ＵＥ１０２に向かってユーザプレーンプロトコル終端と制御プレーンプロトコル終端とを提供する。ｅＮＢ１０６は、バックホール（たとえば、Ｘ２インターフェース）を介して他のｅＮＢ１０８に接続され得る。ＭＣＥ１２８は、発展型マルチメディアブロードキャストマルチキャストサービス（ＭＢＭＳ）（ｅＭＢＭＳ）のために時間／周波数無線リソースを割り振り、ｅＭＢＭＳのために無線構成（たとえば、変調およびコーディング方式（ＭＣＳ））を決定する。ＭＣＥ１２８は、別個のエンティティ、またはｅＮＢ１０６の一部であり得る。ｅＮＢ１０６は、基地局、ノードＢ、アクセスポイント、基地トランシーバ局、無線基地局、無線トランシーバ、トランシーバ機能、基本サービスセット（ＢＳＳ）、拡張サービスセット（ＥＳＳ）、または何らかの他の好適な用語で呼ばれることもある。ｅＮＢ１０６は、ＥＰＣ１１０へのアクセスポイントをＵＥ１０２に提供する。ＵＥ１０２の例は、セルラーフォン、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレーヤ（たとえば、ＭＰ３プレーヤ）、カメラ、ゲーム機、タブレット、スマートデバイス、ウェアラブルデバイス、車両、ドローン、または任意の他の同様の機能デバイスを含む。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれることもある。
【００４２】
[0060]ｅＮＢ１０６はＥＰＣ１１０に接続される。ＥＰＣ１１０は、モビリティ管理エンティティ（ＭＭＥ）１１２と、ホーム加入者サーバ（ＨＳＳ）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンタ（ＢＭ−ＳＣ）１２６と、パケットデータネットワーク（ＰＤＮ）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を提供する。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８は、ＵＥ  ＩＰアドレス割振りならびに他の機能を提供する。ＰＤＮゲートウェイ１１８およびＢＭ−ＳＣ１２６はＩＰサービス１２２に接続される。ＩＰサービス１２２は、インターネット、イントラネット、ＩＰマルチメディアサブシステム（ＩＭＳ）、ＰＳストリーミングサービス（ＰＳＳ）、および／または他のＩＰサービスを含み得る。ＢＭ−ＳＣ１２６は、ＭＢＭＳユーザサービスプロビジョニングおよび配信のための機能を提供し得る。ＢＭ−ＳＣ１２６は、コンテンツプロバイダＭＢＭＳ送信のための入口点として働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００４３】
[0061]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ／ｇＮＢ２０８は、セル２０２のうちの１つまたは複数と重複するセルラー領域２１０を有し得る。より低い電力クラスのｅＮＢ／ｇＮＢ２０８は、フェムトセル（たとえば、ホームｅＮＢ（ＨｅＮＢ））、ピコセル、マイクロセル、またはリモートラジオヘッド（ＲＲＨ）であり得る。マクロｅＮＢ／ｇＮＢ２０４はそれぞれ、それぞれのセル２０２に割り当てられ、ＥＰＣ１１０へのアクセスポイントをセル２０２中のすべてのＵＥ２０６に提供するように構成される。アクセスネットワーク２００のこの例では集中型コントローラはないが、代替構成では集中型コントローラが使用され得る。ｅＮＢ／ｇＮＢ２０４は、無線ベアラ制御、承認制御、モビリティ制御、スケジューリング、セキュリティ、およびサービングゲートウェイ１１６への接続性を含む、すべての無線関係の機能を担当する。ｅＮＢ／ｇＮＢは、１つまたは複数の（たとえば、３つの）セル（セクタとも呼ばれる）をサポートし得る。「セル」という用語は、ｅＮＢ／ｇＮＢの最小カバレージエリア、および／または特定のカバレージエリアをサービスするｅＮＢ／ｇＮＢサブシステムを指すことができる。さらに、「ｅＮＢ」、「ｇＮＢ」、「基地局」、および「セル」という用語は、本明細書では互換的に使用されることがある。
【００４４】
[0062]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者なら以下の発明を実施するための形態から容易に理解するように、本明細書で提示される様々な概念はＬＴＥ適用例によく適している。ただし、これらの概念は、他の変調および多元接続技法を採用する他の電気通信規格に容易に拡張され得る。例として、これらの概念は、エボリューションデータオプティマイズド（ＥＶ−ＤＯ）、ウルトラモバイルブロードバンド（ＵＭＢ）、５Ｇ、または他の変調および多元接続技法に拡張され得る。ＥＶ−ＤＯおよびＵＭＢは、ＣＤＭＡ２０００規格ファミリーの一部として第３世代パートナーシッププロジェクト２（３ＧＰＰ（登録商標）２）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ）、ＴＤＭＡを採用するモバイル通信用グローバルシステム（ＧＳＭ（登録商標））、ならびに、ＯＦＤＭＡを採用する発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課される全体的な設計制約に依存する。
【００４５】
[0063]ｅＮＢ／ｇＮＢ２０４は、ＭＩＭＯ技術をサポートする複数のアンテナを有し得る。ＭＩＭＯ技術の使用により、ｅＮＢ／ｇＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いで、ＤＬ上で複数の送信アンテナを通して空間的にプリコーディングされた各ストリームを送信することによって達成される。空間的にプリコーディングされたデータストリームは、異なる空間シグネチャとともにＵＥ２０６に到着し、これにより、ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ／ｇＮＢ２０４は、空間的にプリコーディングされた各データストリームのソースを識別することが可能になる。
【００４６】
[0064]空間多重化は、概して、チャネル状態が良好であるときに使用される。チャネル状態があまり好ましくないとき、送信エネルギーを１つまたは複数の方向に集中させるためにビームフォーミングが使用され得る。これは、複数のアンテナを介して送信するためにデータを空間的にプリコーディングすることによって達成され得る。セルのエッジにおいて良好なカバレージを達成するために、送信ダイバーシティと組み合わせてシングルストリームビームフォーミング送信が使用され得る。
【００４７】
[0065]以下の詳細な説明では、アクセスネットワークの様々な態様について、ＤＬ上でＯＦＤＭをサポートするＭＩＭＯシステムに関して説明される。ＯＦＤＭは、ＯＦＤＭシンボル内のいくつかのサブキャリアにわたってデータを変調するスペクトラム拡散技法である。サブキャリアは正確な周波数で離間される。離間は、受信機がサブキャリアからデータを復元することを可能にする「直交性」を提供する。時間領域では、ＯＦＤＭシンボル間干渉をなくすために、各ＯＦＤＭシンボルにガードインターバル（たとえば、サイクリックプレフィックス）が追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００４８】
[0066]図３は、ＬＴＥにおけるダウンリンク（ＤＬ）フレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスの場合、リソースブロックは、合計８４個のリソース要素について、周波数領域中に１２個の連続するサブキャリアを含んでおり、時間領域中に７つの連続するＯＦＤＭシンボルを含んでいる。拡張サイクリックプレフィックスの場合、リソースブロックは、合計７２個のリソース要素について、周波数領域中に１２個の連続するサブキャリアを含んでおり、時間領域中に６つの連続するＯＦＤＭシンボルを含んでいる。たとえば、５ＧまたはＮＲ通信システムなど、他の例示的な通信システムでは、リソースブロックは、他の数のリソース要素が可能であるとすれば、周波数領域中に他の数のサブキャリアを含んでおり、時間領域中に他の数のシンボルを含んでいる。Ｒ３０２、３０４として示されるリソース要素のうちのいくつかは、ＤＬ基準信号（ＤＬ−ＲＳ）を含む。ＤＬ−ＲＳは、（共通ＲＳとも時々呼ばれる）セル固有ＲＳ（ＣＲＳ）３０２と、ＵＥ固有ＲＳ（ＵＥ−ＲＳ）３０４とを含む。ＵＥ−ＲＳ３０４は、対応する物理ＤＬ共有チャネル（ＰＤＳＣＨ）がマッピングされるリソースブロック上で送信される。各リソース要素によって搬送されるビット数は変調方式に依存する。したがって、ＵＥが受信するリソースブロックが多いほど、また変調方式のデータ密度が高いほど、ＵＥのデータレートは高くなる。
【００４９】
[0067]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成されてよく、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、単一のＵＥがデータセクション中の隣接するサブキャリアのすべてを割り当てられることを可能にし得る、隣接するサブキャリアを含むデータセクションをもたらす。
【００５０】
[0068]ＵＥは、制御情報をｅＮＢ／ｇＮＢに送信するために、制御セクション中のリソースブロック４１０ａ、４１０ｂを割り当てられ得る。ＵＥはまた、データをｅＮＢ／ｇＮＢに送信するために、データセクション中のリソースブロック４２０ａ、４２０ｂを割り当てられ得る。ＵＥは、制御セクション中の割り当てられたリソースブロック上の物理ＵＬ制御チャネル（ＰＵＣＣＨ）において制御情報を送信し得る。ＵＥは、データセクション中の割り当てられたリソースブロック上の物理ＵＬ共有チャネル（ＰＵＳＣＨ）においてデータまたはデータと制御情報の両方を送信し得る。ＵＬ送信は、サブフレームの両方のスロットにわたり得、周波数にわたってホッピングし得る。
【００５１】
[0069]初期システムアクセスを実施し、物理ランダムアクセスチャネル（ＰＲＡＣＨ）４３０においてＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。ＰＲＡＣＨの場合、周波数ホッピングはない。ＰＲＡＣＨ試行は、単一のサブフレーム（１ｍｓ）において、または少数の隣接するサブフレームのシーケンスにおいて搬送され、ＵＥは、フレーム（１０ｍｓ）ごとに単一のＰＲＡＣＨ試行を行うことができる。
【００５２】
[0070]図５は、本開示の様々な態様による、ＬＴＥにおけるユーザプレーンおよび制御プレーンのための無線プロトコルアーキテクチャの一例を示す図５００である。ＵＥとｅＮＢとのための無線プロトコルアーキテクチャは、レイヤ１、レイヤ２、およびレイヤ３の３つのレイヤとともに示されている。レイヤ１（Ｌ１レイヤ）は最下位レイヤであり、様々な物理レイヤ信号処理機能を実装する。Ｌ１レイヤは、本明細書では物理レイヤ５０６と呼ばれる。レイヤ２（Ｌ２レイヤ）５０８は、物理レイヤ５０６の上にあり、物理レイヤ５０６を通じたＵＥとｅＮＢとの間のリンクを担当する。
【００５３】
[0071]ユーザプレーンでは、Ｌ２レイヤ５０８は、ネットワーク側のｅＮＢにおいて終端される、媒体アクセス制御（ＭＡＣ）サブレイヤ５１０と、無線リンク制御（ＲＬＣ）サブレイヤ５１２と、パケットデータコンバージェンスプロトコル（ＰＤＣＰ）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含む、Ｌ２レイヤ５０８の上にいくつかの上位レイヤを有し得る。
【００５４】
[0072]ＰＤＣＰサブレイヤ５１４は、異なる無線ベアラと論理チャネルとの間の多重化を提供する。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを提供する。ＲＬＣサブレイヤ５１２は、上位レイヤデータパケットのセグメント化および再アセンブリと、紛失データパケットの再送信と、ハイブリッド自動再送要求（ＨＡＲＱ）に起因して順が狂った受信を補正するためのデータパケットの並べ替えとを提供する。ＭＡＣサブレイヤ５１０は、論理チャネルとトランスポートチャネルとの間の多重化を提供する。ＭＡＣサブレイヤ５１０はまた、１つのセル中の様々な無線リソース（たとえば、リソースブロック）をＵＥの間で割り振ることを担当する。ＭＡＣサブレイヤ５１０はまた、ＨＡＲＱオペレーションを担当する。
【００５５】
[0073]制御プレーンでは、ＵＥとｅＮＢとのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００５６】
[0074]図６は、本開示の様々な態様による、アクセスネットワーク中でＵＥ６５０と通信しているｅＮＢ／ｇＮＢ６１０のブロック図である。ＤＬでは、コアネットワークからの上位レイヤパケットが、コントローラ／プロセッサ６７５に提供される。コントローラ／プロセッサ６７５は、Ｌ２レイヤの機能を実装する。ＤＬでは、コントローラ／プロセッサ６７５は、様々な優先度メトリックに基づいて、ヘッダ圧縮と、暗号化と、パケットのセグメント化および並べ替えと、論理チャネルとトランスポートチャネルとの間の多重化と、ＵＥ６５０への無線リソース割振りとを提供する。コントローラ／プロセッサ６７５はまた、ＨＡＲＱオペレーションと、紛失パケットの再送信と、ＵＥ６５０へのシグナリングとを担当する。
【００５７】
[0075]送信（ＴＸ）プロセッサ６１６は、Ｌ１レイヤ（すなわち、物理レイヤ）のための様々な信号処理機能を実装する。信号処理機能は、ＵＥ６５０における順方向誤り訂正（ＦＥＣ）を容易にするためのコーディングおよびインターリービングと、様々な変調方式（たとえば、２相シフトキーイング（ＢＰＳＫ）、４相シフトキーイング（ＱＰＳＫ）、Ｍ相シフトキーイング（Ｍ−ＰＳＫ）、多値直交振幅変調（Ｍ−ＱＡＭ））に基づく信号コンスタレーションへのマッピングとを含む。コーディングされ変調されたシンボルは、次いで、並列ストリームに分割される。各ストリームは、次いで、ＯＦＤＭサブキャリアにマッピングされ、時間領域および／または周波数領域中で基準信号（たとえば、パイロット）と多重化され、次いで、時間領域ＯＦＤＭシンボルストリームを搬送する物理チャネルを発生するために逆高速フーリエ変換（ＩＦＦＴ）を使用して互いに合成される。ＯＦＤＭストリームは、複数の空間ストリームを発生するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に提供され得る。各送信機６１８ＴＸは、送信のためにそれぞれの空間ストリームを用いてＲＦキャリアを変調し得る。
【００５８】
[0076]ＵＥ６５０において、各受信機６５４ＲＸは、それのそれぞれのアンテナ６５２を通して信号を受信する。各受信機６５４ＲＸは、ＲＦキャリア上に変調された情報を復元し、その情報を受信（ＲＸ）プロセッサ６５６に提供する。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実施し得る。複数の空間ストリームがＵＥ６５０に宛てられた場合、それらの空間ストリームは、ＲＸプロセッサ６５６によって単一のＯＦＤＭシンボルストリームに合成され得る。ＲＸプロセッサ６５６は、次いで、高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、ｅＮＢ６１０によって送信された可能性が最も高い信号のコンスタレーションポイントを決定することによって復元され、復調される。これらの軟決定は、チャネル推定器６５８によって計算されるチャネル推定値に基づき得る。軟決定は、次いで、物理チャネル上でｅＮＢ６１０によって最初に送信されたデータおよび制御信号を復元するために復号され、デインターリーブされる。データおよび制御信号は、次いで、コントローラ／プロセッサ６５９に提供される。
【００５９】
[0077]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬにおいて、コントローラ／プロセッサ６５９は、コアネットワークからの上位レイヤパケットを復元するために、トランスポートチャネルと論理チャネルとの間の逆多重化と、パケット再アセンブリと、暗号解読と、ヘッダ解凍と、制御信号処理とを提供する。上位レイヤパケットは、次いで、Ｌ２レイヤの上のすべてのプロトコルレイヤを表す、データシンク６６２に提供される。また、様々な制御信号が、Ｌ３処理のためにデータシンク６６２に提供され得る。コントローラ／プロセッサ６５９はまた、ＨＡＲＱオペレーションをサポートするために、肯定応答（ＡＣＫ）および／または否定応答（ＮＡＣＫ）プロトコルを使用して誤り検出を担当する。
【００６０】
[0078]ＵＬでは、データソース６６７は、コントローラ／プロセッサ６５９に上位レイヤパケットを提供するために使用される。データソース６６７は、Ｌ２レイヤの上のすべてのプロトコルレイヤを表す。ｅＮＢ６１０によるＤＬ送信に関して説明された機能性と同様に、コントローラ／プロセッサ６５９は、ヘッダ圧縮と、暗号化と、パケットのセグメント化および並べ替えと、ｅＮＢ６１０による無線リソース割振りに基づく論理チャネルとトランスポートチャネルとの間の多重化とを提供することによって、ユーザプレーンおよび制御プレーンに関するＬ２レイヤを実装する。コントローラ／プロセッサ６５９はまた、ＨＡＲＱオペレーションと、紛失パケットの再送信と、ｅＮＢ６１０へのシグナリングとを担当する。
【００６１】
[0079]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成された空間ストリームは、別個の送信機６５４ＴＸを介して異なるアンテナ６５２に提供され得る。各送信機６５４ＴＸは、送信のためにそれぞれの空間ストリームを用いてＲＦキャリアを変調し得る。
【００６２】
[0080]ＵＬ送信は、ＵＥ６５０における受信機機能に関して説明された様式と同様の様式でｅＮＢ６１０において処理される。各受信機６１８ＲＸは、それのそれぞれのアンテナ６２０を通して信号を受信する。各受信機６１８ＲＸは、ＲＦキャリア上に変調された情報を復元し、その情報をＲＸプロセッサ６７０に提供する。ＲＸプロセッサ６７０はＬ１レイヤを実装し得る。
【００６３】
[0081]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の逆多重化と、パケット再アセンブリと、暗号解読と、ヘッダ解凍と、制御信号処理とを提供する。コントローラ／プロセッサ６７５からの上位レイヤパケットはコアネットワークに提供され得る。コントローラ／プロセッサ６７５はまた、ＨＡＲＱオペレーションをサポートするためにＡＣＫおよび／またはＮＡＣＫプロトコルを使用して誤り検出を担当する。
【００６４】
[0082]ＵＥ６５０はまた、コントローラ／プロセッサ６５９に結合されたセンサー要素６６９としてまとめて示されている、１つまたは複数の内部センサーを備え得る。センサー要素６６９は、ＵＥ６５０が、たとえば、それのロケーション、それの配向、ＵＥ６５０に対する人間組織の手または他の部分のロケーション、および特に、ＵＥ６５０上のアンテナアレイに対する組織の関係などを決定することを可能にするように構成された、動きセンサー、ロケーションセンサーなど、１つまたは複数のセンサーを備え得る。
【００６５】
[0083]図７は、本開示の様々な態様による、デバイス間（Ｄ２Ｄ）通信システム７００の図である。デバイス間通信システム７００は、図１に示されているネットワークによって実装されてよく、例示的な実施形態では、複数のワイヤレスデバイス７０４、７０６、７０８、７１０を含む。デバイス間通信システム７００は、たとえば、ワイヤレスワイドエリアネットワーク（ＷＷＡＮ）などのセルラー通信システムと重複し得る。ワイヤレスデバイス７０４、７０６、７０８、７１０の一部は、ＤＬ／ＵＬ  ＷＷＡＮスペクトルを使用してデバイス間（またはピアツーピア）通信において互いに通信し、一部は基地局７０２と通信し、一部は両方を行い得る。たとえば、図７に示されているように、ワイヤレスデバイス７０８、７１０はデバイス間通信しており、ワイヤレスデバイス７０４、７０６はデバイス間通信している。ワイヤレスデバイス７０４、７０６は基地局７０２とも通信している。
【００６６】
[0084]一構成では、ＵＥ７０４、７０６、７０８、７１０の一部または全部は、車両上に搭載または配置され得る。そのような構成では、Ｄ２Ｄ通信システム７００は車両間（Ｖ２Ｖ）通信システムと呼ばれることもある。
【００６７】
[0085]以下で論じられる例示的な方法および装置は、たとえば、ＦｌａｓｈＬｉｎＱ、ＷｉＭｅｄｉａ、Ｂｌｕｅｔｏｏｔｈ（登録商標）、ＺｉｇＢｅｅ（登録商標）、またはＩＥＥＥ８０２．１１規格に基づくＷｉ−Ｆｉに基づくワイヤレスデバイス間通信システムなど、様々なワイヤレスデバイス間通信システムのいずれにも適用可能である。議論を簡単にするために、例示的な方法および装置はＬＴＥのコンテキスト内で論じられる。しかしながら、例示的な方法および装置は、より一般的に、様々な他のワイヤレスデバイス間通信システムに適用可能であることを当業者なら理解されよう。
【００６８】
[0086]図８は、低周波ワイヤレス通信システム（たとえば、ＬＴＥ）におけるビームフォーミングの一例を示す図８００である。図８はアンテナアレイ８０２および８０４を含む。例示的な実施形態では、アンテナアレイ８０２は、格子パターン（たとえば、平面アレイ）に構成されたいくつかのアンテナ要素（たとえば、アンテナ要素８１２）を含むことがあり、基地局中に配置され得る。例示的な実施形態では、アンテナアレイ８０４は、格子パターンに構成されたいくつかのアンテナ要素（たとえば、アンテナ要素８１４）を含むことがあり、ＵＥ中に配置され得る。図８に示されているように、アンテナアレイ８０２はビーム８０６を送信し得、アンテナアレイ８０４はビーム８０８を介して受信し得る。例示的な実施形態では、ビーム８０６および８０８は、エリア８１０に配置されたクラスタを介して反射、散乱、および／または、回折し得る。
【００６９】
[0087]図９は、高周波ワイヤレス通信システム（たとえば、ｍｍＷシステム）におけるビームフォーミングを示す図９００である。図９はアンテナアレイ９０２および９０４を含む。例示的な実施形態では、アンテナアレイ９０２は、格子パターンに構成されたいくつかのアンテナ要素（たとえば、アンテナ要素９１２）を含むことがあり、ｍｍＷ基地局中に配置され得る。例示的な実施形態では、アンテナアレイ９０４は、格子パターンに構成されたいくつかのアンテナ要素（たとえば、アンテナ要素９１４）を含むことがあり、ＵＥ中に配置され得る。図９に示されているように、アンテナアレイ９０２はビーム９０６を送信し得、アンテナアレイ９０４はビーム９０８を介して受信し得る。例示的な実施形態では、ビーム９０６および９０８は、エリア９１０に配置されたクラスタを介して反射、散乱、および／または、回折し得る。
【００７０】
[0088]図９のアンテナアレイ９０２は図８のアンテナアレイ８０２よりも多数のアンテナ要素を含むことと、図９のアンテナアレイ９０４は図８のアンテナアレイ８０４よりも多数のアンテナ要素を含むこととに留意されたい。（後者に対して）前者のシナリオにおいてアンテナの数がより多い理由は、同じアパーチャ／エリア内により多数のアンテナを配置することを可能にする、より小さい波長に対応するより大きいキャリア周波数のためである。アンテナアレイ９０２および９０４中のアンテナ要素の数がより多いことにより、ビーム９０６および９０８は、アンテナアレイ８０２および８０４からのビーム８０６および８０８に対して高い角度分解能を与える、狭い１／２電力ビーム幅を有することが可能になる。したがって、低周波ワイヤレス通信システムにおけるアンテナアレイ８０２および８０４中のより少数のアンテナ要素は、ｍｍＷシステムにおけるよりも良好なリンクマージンを提供するが、より広い角度分解能を生じ得る。
【００７１】
[0089]スタンドアロンｍｍＷワイヤレス通信システムにおいて、（透過、回折、反射などによる）高いリンク損失は、マルチパスの角度情報の発見を防げることがある。対照的に、低周波ワイヤレス通信システムは、スタンドアロンｍｍＷワイヤレス通信システムにおけるリンクよりも高い品質を有するリンク（たとえば、より高いＳＮＲを有するリンク）を提供することがある。低周波ワイヤレス通信システムのこのより高いＳＮＲと、低周波ワイヤレス通信システムおよびスタンドアロンｍｍＷワイヤレス通信システムの共存とは、ビームフォーミング方式の角度情報および／または相対経路利得を決定するために活用され得る。ビームフォーミング方式の角度情報および／または相対経路利得は、送信機と、受信機と、散乱体との相対的な幾何学的配置によってのみ決定されるので、そのような角度情報および／または相対経路利得は、スタンドアロンｍｍＷワイヤレス通信システムと低周波ワイヤレス通信システムとの両方において概して不変である。経路の（優位の）ランキングが、（たとえば、異なる周波数における微分散乱および／または吸収損失により）変化するキャリア周波数とともに変化し得るシナリオはあるが、大多数の場合、そのようなランキングは変化しないであろう。
【００７２】
[0090]低周波ワイヤレス通信システムにおいてビームの到達および発信の角度を学習するために、ＳＮＲが高くなることに成功するビームの到達および発信の角度を学習するための方法が使用され得る。そのような方法は、多重信号分類（ＭＵＳＩＣ：MUltiple SIgnal Classification）、回転不変技法を介した信号パラメータの推定（ＥＳＰＲＩＴ：Estimation of Signal Parameters via Rotation Invariant Techniques）、空間交互一般化期待値最大化（ＳＡＧＥ：Space-Alternating Generalized Expectation-maximization）アルゴリズムなどを含み得る。いくつかのシナリオでは、低周波ワイヤレス通信システムにおける低周波送信の広いビーム幅は、悪い角度精度を生じることがある。例示的な実施形態では、低周波ワイヤレス通信システムのために学習された角度は、ｍｍＷワイヤレス通信システムにおけるビームフォーミングのために必要とされる角度（角度情報とも呼ばれる）の粗い推定として役に立ち得る。ｍｍＷワイヤレス通信システムのための角度情報の改善された推定値は、初期値（シード値とも呼ばれる）として低周波ワイヤレス通信システムを介して取得された粗い角度推定値を使用して決定され得る。たとえば、改善された推定値は、微細ビームチューニングまたは制約付きＭＵＳＩＣなどのアルゴリズムを使用して決定され得る。
【００７３】
[0091]ｍｍＷワイヤレス通信システムと低周波ワイヤレス通信システムとの間の非対称的な能力は、ｍｍＷワイヤレス通信システムと低周波ワイヤレス通信システムとを実装するために使用されるアルゴリズムの複雑さを低減するために活用され得る。たとえば、低周波ワイヤレス通信システムは、ｍｍＷワイヤレス通信システムよりも少数のアンテナを使用し得る。アンテナの数におけるそのような非対称性は、ＭＵＳＩＣ、ＥＳＰＲＩＴおよび／またはＳＡＧＥなどのアルゴリズムにおいて、有望な信号方向を推定するために活用され得る。何らかのそのようなアルゴリズム（たとえば、ＭＵＳＩＣ、ＥＳＰＲＩＴ、および／またはＳＡＧＥ）を用いて有望な信号方向を推定することは、信号共分散行列の正確な推定値を取得することに基づくことに留意されたい。たとえば、信号共分散行列の正確な推定は、より少数のトレーニングサンプル（または、より短い共分散行列収集および角度学習期間）を使用して、ならびにより大きい次元のシステムのためによりも小さいアンテナシステムのためにより低い計算コスト（より少数の乗算および加算、およびより小さい次元の行列反転）を用いて達成され得る。
【００７４】
[0092]送信機と受信機との間の非対称的な能力は、ｍｍＷワイヤレス通信システムよりも低周波ワイヤレス通信システムにおける角度決定のためにより多くのリソースを比例的に割り振るために活用され得る。たとえば、非対称的な能力は、送信機と受信機とにおけるアンテナの異なる数、送信機と受信機との間の異なるビームフォーミング能力（たとえば、デジタルビームフォーミング能力もしくはＲＦビームフォーミング能力）、および／または受信機におけるより低い電力を含み得る。
【００７５】
[0093]例示的な実施形態では、低周波ワイヤレス通信システムから取得されるセルフレームおよびＯＦＤＭシンボルタイミング情報は、ｍｍＷワイヤレス通信システムを用いたさらなる改善のための初期値として使用され得る。そのような例示的な実施形態では、低周波ワイヤレス通信システムはｍｍＷワイヤレス通信システムよりも良好なＳＮＲを概して提供するので、これらの量は、より高い周波数（たとえば、１０．０ＧＨｚと３００．０ＧＨｚとの間の周波数）におけるよりも低い周波数（たとえば、６．０ＧＨｚ未満）においてより信頼性が高く推定され得る。セルフレームおよび／またはＯＦＤＭシンボルタイミング情報は、同期信号（たとえば、１次同期信号（ＰＳＳ）および２次同期信号（ＳＳＳ））を使用して決定され得、同期信号により、ＵＥは、セルと同期し、セルフレームタイミング、キャリア周波数オフセット、ＯＦＤＭシンボルタイミング、および／またはセル識別（ＩＤ）などの注目する量を検出することが可能になる。
【００７６】
[0094]キャリア周波数オフセットは、低周波ワイヤレス通信システムによって提供される推定値の辺りで微調整した後に、ｍｍＷワイヤレス通信システムのために推定され得る。たとえば、微調整は、より少数の周波数仮定を用いて実施され得る。したがって、低周波の支援は、レイテンシ、同じ性能のためのより低いＳＮＲ要件、および／またはより低い計算コストに関して、ｍｍＷプロトコルの性能を著しく向上させ得る。
【００７７】
[0095]図１０は、本開示の様々な態様による、通信システムを示す図である。通信システム１０００は、基地局アンテナアレイ１００２を有する基地局（図示されず）と、ＵＥアンテナアレイ１００４を有するＵＥ（図示されず）とを備え得る。アンテナアレイ１００２は、格子パターンに構成されたいくつかのアンテナ要素（たとえば、アンテナ要素１０１２）を含むことがあり、基地局中に配置され得、アンテナアレイ１００４は、格子パターンに構成されたいくつかのアンテナ要素（たとえば、アンテナ要素１０１４）を含むことがあり、ＵＥ中に配置され得る。
【００７８】
[0096]アンテナアレイ１００２とアンテナアレイ１００４とが、グローバル座標系（ＧＣＳ）１０１０に対して示されている。ＧＣＳ１０１０は、直交するＸ、ＹおよびＺ軸を有する直交座標系として示されているが、極座標系など、どんな座標系であってもよい。ＧＣＳ１０１０は、アンテナアレイ１００２およびアンテナアレイ１００４のロケーションと、アンテナアレイ１００２およびアンテナアレイ１００４に関係する通信ビームとを定義するために使用され得る。
【００７９】
[0097]例示的な実施形態では、アンテナアレイ１００２は、図１０では１〜６と標示されてもいる、６つの通信ビーム１０２１、１０２２、１０２３、１０２４、１０２５および１０２６を生成するように図示されている。例示的な実施形態では、アンテナアレイ１００４は、図１０では１〜４と標示されてもいる、４つの通信ビーム１０３１、１０３２、１０３３、および１０３４を生成するように図示されている。アンテナアレイ１００２およびアンテナアレイ１００４は、図１０に示されている通信ビームよりもはるかに多くの通信ビームを生成することが可能であることを理解されたい。さらに、アンテナアレイ１００２およびアンテナアレイ１００４によって生成された通信ビームは、送信通信ビームと受信通信ビームとを生成することが可能である。
【００８０】
[0098]例示的な実施形態では、通信ビーム１０２１、１０２２、１０２３、１０２４、１０２５および１０２６のうちの少なくともいくつかと、通信ビーム１０３１、１０３２、１０３３、および１０３４のうちの少なくともいくつかとは、ビームペアリンク（ＢＰＬ）を形成し得、例示的な実施形態では、いくつかのＢＰＬを形成し得る。例示的な実施形態では、通信ビーム１０２３と通信ビーム１０３２とは、ＢＰＬ１０５１を形成し得、したがって、アンテナアレイ１００２とアンテナアレイ１００４とに関連する通信デバイスは双方向に通信することが可能になる。同様に、通信ビーム１０２４と通信ビーム１０３３とは、ＢＰＬ１０５３を形成し得、通信ビーム１０２５と通信ビーム１０３４とは、ＢＰＬ１０５５を形成し得る。図１０では３つのＢＰＬ１０５１、１０５３および１０５５が示されているが、より多いまたはより少ないＢＰＬがアンテナアレイ１００２とアンテナアレイ１００４との間に存在し得る。例示的な実施形態では、通信ビーム１０２３、１０２４、１０２５、１０３１、１０３３および１０３４は、それらがアクティブ通信のために使用されているとき、「サービングビーム」と呼ばれることがあり、通信ビーム１０２１、１０２２、１０２６、および１０３２は、それらが通信のために利用可能である場合、ターゲットビームまたは候補ビームと呼ばれることがある。
【００８１】
[0099]例示的な実施形態では、ビームフォーミングは、ｍｍＷ、または５ＧまたはＮＲシステムにおいてより高いスペクトル効率をもたらす。ＵＥおよび基地局におけるビームフォーミングのために、それぞれ、ＵＥ固有および基地局固有（５Ｇ−ＮＲ非指定）のアナログコードブックが使用され得る。そのようなコードブック設計は、基地局とＵＥの両方において典型的にはプロプライエタリである。典型的なコードブック／ビーム設計制約は、たとえば、アンテナアレイ利得対カバレージのトレードオフを含む。
【００８２】
[00100]図１１Ａは、本開示の様々な態様による、ワイヤレス通信において使用するための基地局１０６とＵＥ１０２とを含む通信システムの図１１００である。基地局１０６は、図１を参照しながら説明された基地局の１つまたは複数の態様の一例であり得る。それはまた、図６を参照しながら説明された基地局の一例であり得る。
【００８３】
[00101]ＵＥ１０２は、図１を参照しながら説明されたＵＥの１つまたは複数の態様の一例であり得る。それはまた、図６を参照しながら説明されたＵＥの一例であり得る。
【００８４】
[00102]ＵＥ１０２は、基地局１０６と双方向ワイヤレス通信中であり得る。例示的な実施形態では、ＵＥ１０２は、ＢＰＬ１１０５と呼ばれることもある、サービングビーム１１０３を介して基地局１０６と双方向ワイヤレス通信中であり得る。サービングビームは、制御ビームと呼ばれる、制御情報を搬送する通信ビームであり得るか、データビームと呼ばれる、データを搬送する通信ビームであり得るか、または他の通信ビームであり得る。例示的な実施形態では、サービングビーム１１０３は、基地局１０６から送られる送信ビームと、ＵＥ１０２によって同調される受信ビームとを備え得、ＵＥ１０２によって送られる送信ビームと、基地局１０６によって同調される受信ビームとを備え得る。ＢＰＬ１１０５は、双方向通信リンクを作成するために協働する送信ビームと受信ビームとの組合せを使用するＵＥ１０２と基地局１０６との間の双方向通信を示すものである。例示的な実施形態では、サービングビーム１１０３は、ＵＥ１０２を基地局１０６に動作可能に結合するように構成され得る複数の指向性通信ビームのうちの１つであり得る。例示的な実施形態では、所与の時間において、サービングビーム１１０３、およびＢＰＬ１１０５は、ＵＥ１０２と基地局１０６との間に最もロバストな通信リンクを提供することが可能であり得る。
【００８５】
[00103]例示的な実施形態では、ＵＥ１０２と基地局１０６との間に他のサービングビームが確立されてもよい。たとえば、サービングビーム１１０７は、ＵＥ１０２と基地局１０６との間にＢＰＬ１１０９を確立してよく、サービングビーム１１１１は、ＵＥ１０２と基地局１０６との間にＢＰＬ１１１３を確立してよい。
【００８６】
[00104]例示的な実施形態では、ＵＥ１０２と基地局１０６との間の通信リンクを提供するために１つまたは複数のターゲットまたは候補ビームが利用可能であってもよい。例示的な実施形態では、候補ビーム１１１５は、複数の利用可能な候補ビームのうちの１つを表し、それがＵＥ１０２と基地局１０６との間の動作可能な通信リンクをアクティブに提供していないことを示すために点線で示されている。例示的な実施形態では、候補ビーム１１１５は、候補ビーム１１１５を一緒に形成し得る、基地局１０６とＵＥ１０２とによって生成された送信ビームと受信ビームとを備え得る。
【００８７】
[00105]図１１Ｂは、本開示の様々な態様による、ワイヤレス通信において使用するための基地局１０６とＵＥ１０２とを含む通信システムの図１１００である。図１１Ｂは部分的ビームペアリンク障害を示している。たとえば、図１１Ｂにおいて、ＢＰＬ１１０５とＢＰＬ１１０９とは、それらがＵＥ１０２と基地局１０６との間の無線通信リンクを確立し維持し続けることができないという点で、ＲＬＦに遭遇している。しかしながら、サービングビーム１１５５とＢＰＬ１１５７とは、この例ではサービングビーム１１５５およびＢＰＬ１１５７である少なくとも１つの通信ビームを介して、ＵＥ１０２と基地局１０６との間の通信が依然として利用可能であるという点で、ＵＥ１０２と基地局１０６との間で依然として確立されており、「部分的」ＢＰＬ損失という用語を生じる。
【００８８】
[00106]既存のビーム障害回復手順は、すべてのサービング制御ビームが機能しない状況を扱う。ＵＥ１０２は、新しい候補ビームが発見され、通信がこの新しい候補ビームに遷移されるまで、基地局１０６と通信することができないので、新しい候補ビーム識別は、基地局１０６からＵＥ１０２への、チャネル状態情報基準信号（ＣＳＩ−ＲＳ）または同期信号（ＳＳ）周期などの周期的基準信号の送信にのみ基づく。この従来の方法では、ＵＥが候補ビームについて探索するために次の周期的機会を待つ必要があるので、ビーム障害検出の後に候補ビーム識別のために少なくとも１つの通信周期の遅延がある。基地局がビーム障害回復要求の受信のために異なる方向上でおよびそれにわたって受信（ＲＸ）ビーム掃引を実施することができるように、この要求のために複数のアップリンク（ＵＬ）リソースが予約される必要がある。
【００８９】
[00107]例示的な実施形態では、制御ビームのサブセットが機能しないが、少なくとも１つの制御ビームがＵＥ１０２と基地局１０６との間の通信のために利用可能なままである、部分的ビームペアリンク（ＢＰＬ）損失を扱うための効率的な手順について説明される。例示的な実施形態では、ビーム障害に対するロバストネスのために５Ｇ  ＮＲにおいて複数の制御ビームがサポートされる。
【００９０】
[00108]部分的ＢＰＬ損失回復は、部分的ＢＰＬ損失について、基地局に通知し、上述の少なくとも１つの通信周期だけ遅延されるはずである基地局からの信号を待つことなしに、ビーム回復手順を直ちにトリガするためにＵＥが使用し得る少なくとも１つの良好な制御ＢＰＬが存在するので、既存のビーム障害回復手順よりも回復時間において利点を有する。
【００９１】
[00109]部分的ＢＰＬ損失回復はまた、ＵＥが残りの良好なＢＰＬ上で基地局に送るビーム障害回復要求の受信のために基地局においてＲＸビーム掃引のための複数のアップリンク（ＵＬ）リソースを予約する必要なしに、良好な残りの制御ＢＰＬを使用して新しい識別されたＢＰＬがＵＥによって基地局に直ちに搬送され得るので、リソースを節約することにおいて利点を有する。
【００９２】
[00110]例示的な実施形態では、部分的ＢＰＬ損失について、ＵＥが基地局（ｇＮＢ）に通知し、部分的ＢＰＬ損失コンディションの下でビーム回復手順を直ちにトリガすることを可能にする、少なくとも１つの良好な制御ＢＰＬが存在する。
【００９３】
[00111]例示的な実施形態では、部分的ＢＰＬ損失の場合において、提案される方式を使用して、新しい候補ビームは、ビーム障害回復のための既存の手順よりもすぐに識別され得る。
【００９４】
[00112]例示的な実施形態では、次のチャネル状態情報基準信号（ＣＳＩ−ＲＳ）または同期信号（ＳＳ）周期を待つ代わりに、ＵＥは、良好な残りのＢＰＬを使用して障害検出の直後に部分的ＢＰＬ損失に関して基地局（ｇＮＢ）に通知することができ、次いで、ＵＥは、基地局（ｇＮＢ）が候補ビーム探索のために非周期的ＣＳＩ−ＲＳをスケジュールすることを期待し得る。本明細書で使用されるとき、「非周期的」という用語は、ＵＥからの損失インジケーションの受信の直後に、および通常の周期的に起こるＣＳＩ−ＲＳイベントを待たずに、基地局が候補ビーム探索のためにＣＳＩ−ＲＳをスケジュールすることを指す。
【００９５】
[00113]例示的な実施形態では、ＵＥは、部分的ＢＰＬ損失インジケーションのために定義され得るスケジューリング要求（ＳＲ）と同様の特定の物理アップリンク制御チャネル（ＰＵＣＣＨ）通信を送ることによって、検出された部分的ＢＰＬ損失に関して基地局に通知し得る。
【００９６】
[00114]例示的な実施形態では、ＵＥは、ＵＥによって部分的ＢＰＬ損失が検出されたときはいつでも、ＵＥによって開始される非周期的ビーム報告を基地局が可能にすることによって、検出された部分的ＢＰＬ損失に関して基地局に通知し得る。非周期的ビーム報告は、たとえば、ＰＵＣＣＨ信号によって搬送されるか、またはＵＥからの物理アップリンク共有チャネル（ＰＵＳＣＨ）通信におけるアップリンク（ＵＬ）媒体アクセス制御（ＭＡＣ）制御要素（ＣＥ）によって搬送され得る。
【００９７】
[00115]ＵＥは、新しいビーム情報とともにＢＰＬ追加要求を送信し得る。ＢＰＬ追加要求は、スケジューリング要求（ＳＲ）と同様であるが、新しいビーム情報を示すための追加のビットをもつ、特定のＰＵＣＣＨ信号として定義され得る。
【００９８】
[00116]別の例示的な実施形態では、候補ビームへの通信ビーム遷移を開始するために、ＵＥによって、ＳＲと同様であるが、部分的ＢＰＬ損失インジケーションとＢＰＬ追加要求の両方を捕捉するための追加のビットをもつ特定のＰＵＣＣＨ信号が使用され得る。
【００９９】
[00117]図１２は、本開示の様々な態様による、通信のための方法の一例を示すフローチャートである。方法１２００におけるブロックは、図示の順序で実施されるかまたは順序が狂って実施されてよく、いくつかの実施形態では、少なくとも部分的に並列に実施されてよい。
【０１００】
[00118]ブロック１２０２において、ＵＥが通信ビーム障害検出を実施する。
【０１０１】
[00119]ブロック１２０４において、いずれかの通信制御ビームが機能していないかどうかがＵＥによって決定される。
【０１０２】
[00120]ブロック１２０４において、制御ビーム障害がないと決定された場合、プロセスはブロック１２０２に戻り、ＵＥは通信ビーム障害検出を実施し続ける。ブロック１２０４において、いずれかの制御ビームが機能していないと決定された場合、プロセスはブロック１２０６に進む。
【０１０３】
[00121]ブロック１２０６において、ＵＥは、少なくとも１つの制御ビームが基地局との通信のために利用可能なままであるかどうかを決定する。ブロック１２０６において、ＵＥが、基地局との通信のために利用可能なままである制御ビームがないと決定した場合、プロセスはブロック１２０８に進み、ＵＥは、すべての通信ビームが機能していない場合の既存のビーム障害回復手順に従う。
【０１０４】
[00122]ブロック１２０６において、ＵＥが、基地局との通信のために利用可能な少なくとも１つの制御ビームがあると決定した場合、プロセスはブロック１２１０に進む。
【０１０５】
[00123]ブロック１２１０において、ＵＥは、少なくとも１つの利用可能な通信制御ビームを使用して明示的または暗黙的に部分的ＢＰＬ損失に関して基地局に通知し得る。
【０１０６】
[00124]たとえば、ＵＥは、基地局がビーム管理のためのさらなるアクションを取ることができるように、部分的ＢＰＬ損失に関して明示的または暗黙的に基地局に通知し得る。本明細書で使用されるとき、「明示的通知」という用語は、ＵＥが、プロアクティブにおよび基地局からの周期的ＣＳＩ−ＲＳまたはＳＳ信号を待つことなしに、部分的ＢＰＬ損失イベントに関して基地局に明示的に通知することを意味する。
【０１０７】
[00125]「暗黙的通知」という用語は、多くの機構をカバーすることができ、たとえば、通知は、非周期的ＣＳＩ−ＲＳおよび／または非周期的ビーム報告などをトリガするための基地局へのＵＥの要求であり得る。
【０１０８】
[00126]例示的な実施形態では、ＵＥが部分的ＢＰＬ損失に関して基地局にこの「明示的または暗黙的」通知を送信するために、少なくとも２つのオプションが提案される。
【０１０９】
[00127]例示的な実施形態では、この通知のために物理レイヤにおいて、スケジューリング要求（ＳＲ）と同様の新しいＰＵＣＣＨフォーマットが定義され得る。
【０１１０】
[00128]例示的な実施形態では、ＵＥの要求をカバーするために一般的なＰＵＣＣＨ要求信号が使用されてよい。ＬＴＥでは、ＵＬリソースについて許可を要求するためのＳＲという、ただ１つの要求信号がＰＵＣＣＨにおいて定義されている。５ＧＮＲでは、ＵＥは、様々な目的のためにＵＬ要求を送り得る。たとえば、ＳＲ、部分的ＢＰＬ損失インジケーション信号、ビーム改善要求、非周期的ビーム報告要求、およびビーム障害回復要求など。
【０１１１】
[00129]例示的な実施形態では、基地局に部分的ＢＰＬ損失インジケーションを送るために、様々な要求タイプを示すための情報ビットをもつオンオフＰＵＣＣＨ信号がＵＥによって使用され得る。追加のビットはまた、他の関係する情報を搬送するために、たとえば、ビーム障害回復要求の場合には新しいビームインデックスを示すために、または部分的損失インジケーションの場合には機能していないＢＰＬのインデックスを示すために、このＰＵＣＣＨ信号によって搬送されてよい。
【０１１２】
[00130]例示的な実施形態では、異なる要求タイプを示すために、たとえば、異なるサイクリックシフトを使用する、異なる信号シーケンスをもつオンオフＰＵＣＣＨ信号がＵＥによって使用されてよい。必要なとき適切な要求を送るために、ＵＥのために周期的ＰＵＣＣＨリソースが予約され得る。たとえば、異なるサイクリックシフトがＵＥに割り当てられてよく、各サイクリックシフトは、ＳＲ、部分的ＢＰＬ損失インジケーション、ビーム改善要求、非周期的ビーム報告要求、およびビーム障害回復要求などのＰＵＣＣＨ要求タイプのうちの１つまたは複数に対応し得る。
【０１１３】
[00131]別の例示的な実施形態では、ＵＥは、部分的ＢＰＬ損失に関するこの「明示的または暗黙的」通知のためにＭＡＣレイヤにおいて定義され得る新しいアップリンク（ＵＬ）媒体アクセス制御（ＭＡＣ）制御要素（ＣＥ）を使用してこの通知を基地局に送信し得る。そのようなＵＬ  ＭＡＣ  ＣＥは、割り振られたＰＵＳＣＨリソースを用いて時間的にそれが送信され得るように、ＢＳＲ  ＭＡＣ  ＣＥと同様のＳＲをトリガすることが可能であり得る。このオプションのために、ＭＡＣレイヤでは変更が実装され、物理レイヤでは変更が実装されない。
【０１１４】
[00132]ブロック１２１４において、例示的な実施形態では、ＵＥからＢＰＬ損失通知を受信すると、基地局は、非周期的ＣＳＩ−ＲＳ送信を送り、ＵＥからの非周期的ビーム報告をトリガし得る。
【０１１５】
[00133]ブロック１２１６において、例示的な実施形態では、ＵＥからＢＰＬ損失通知を受信すると、基地局は、周期的ＣＳＩ−ＲＳ信号または周期的ＳＳ信号に基づいてＵＥからの非周期的ビーム報告をトリガし得る。
【０１１６】
[00134]ブロック１２１８において、例示的な実施形態では、ＵＥからＢＰＬ損失通知を受信すると、基地局は、それの構成のうちの少なくとも一部を更新し得、その後、プロセスはブロック１２０８に戻る。たとえば、基地局は、ＵＥが、ブロック１２０８によって示されるビーム障害回復プロセスを実施するとすぐに新しい候補ビームを発見することができるように、ＳＳ信号またはＣＳＩ−ＲＳ信号の周期性（周期）、または送信の頻度を低減し得る。
【０１１７】
[00135]ブロック１２２２において、基地局から非周期的ＣＳＩ−ＲＳ送信（ブロック１２１４）を受信した後に、あるいは基地局から周期的ＣＳＩ−ＲＳ信号または周期的ＳＳ信号に基づく非周期的ビーム報告についての要求（ブロック１２１６）を受信した後のいずれかに、ＵＥは、新しいビーム情報とともにビームステータス報告を基地局に送信する。
【０１１８】
[00136]ブロック１２２４において、基地局は、ブロック１２２２において送られたＵＥビームステータス報告に基づいてＵＥに新しいＢＰＬ追加メッセージを送信する。
【０１１９】
[00137]ブロック１２１０、１２１４、１２１６、１２１８、１２２２および１２２４のステップはすべて、良好な制御ＢＰＬのうちの１つを介して行われる。
【０１２０】
[00138]部分的ＢＰＬ損失を扱うために複数の可能なオプションがある。
【０１２１】
[00139]例示的な実施形態（代替形態１）では、図１２のブロック１２１０、１２１４、１２２２および１２２４、（ａ、ｂ１、ｃ、ｄ）を参照すると、ＵＥのＢＰＬ損失通知の受信時に、基地局は、ＵＥが候補ビーム探索を実施するための非周期的ＣＳＩ−ＲＳ送信をスケジュールし、基地局はまた、非周期的ＣＳＩ−ＲＳの送信後の指定された時間においてＵＥからの非周期的ビームステータス報告をトリガする。この実施形態では、候補ビームは発見され、次の周期的ＣＳＩ−ＲＳまたはＳＳ機会を待つ必要なしに直ちに基地局に報告され得る。
【０１２２】
[00140]別の例示的な実施形態（代替形態２）では、図１２のブロック１２１０、１２１６、１２２２および１２２４、（ａ、ｂ２、ｃ、ｄ）を参照すると、候補ビーム探索は、依然として周期的ＣＳＩ−ＲＳまたはＳＳ信号に基づく。しかしながら、ＵＥの部分的ＢＰＬ損失通知の受信時に、基地局は、ＵＥから新しい識別された候補ビームを取得するために、ＵＥからの非周期的ビームステータス報告をトリガする。例示的な実施形態では、新しい識別された候補ビームは、機能している制御ＢＰＬを使用してＵＥによって報告され、したがって、基地局は、ＵＥからビーム報告メッセージを受信するためにＲＸビーム掃引を実施する必要がない。この手法は、次の周期的ＣＳＩ−ＲＳまたはＳＳ機会が近接しており、したがって、ＵＥが基地局からのこの次の周期的ＣＳＩ−ＲＳまたはＳＳ機会を待った場合に長い遅延がない状況において有用であり得る。
【０１２３】
[00141]別の例示的な実施形態（代替形態３）では、図１２のブロック１２１０、１２１８、１２２２および１２２４、（ａ、ｂ３、ｃ、ｄ）を参照すると、既存のビーム障害回復手順が再利用される。しかしながら、ＵＥの部分的ＢＰＬ損失通知の受信時に、基地局は、回復手順がより効率的に行われ得るように、それの構成の一部を更新し得る（ブロック１２１８）。たとえば、基地局は、候補ビームがよりすぐに発見され得るように、ＣＳＩ−ＲＳ信号またはＳＳ信号の周期性を低減し得る。基地局はまた、ビーム障害回復要求のためにＰＲＡＣＨ構成を更新し得る。
【０１２４】
[00142]別の例示的な実施形態（代替形態４）では、ＵＥは、既存のビーム障害回復プロセスをただ使用し得る。
【０１２５】
[00143]部分的ＢＰＬ損失が検出されると、ＵＥは、基地局に通知を送るべきかどうかを決定し得る。通知がＵＥによって基地局に送られた場合、基地局は、それのステータスに基づいて、ブロック１２１４、１２２２、１２２４の方法（代替形態１）を取るべきか、ブロック１２１６、１２２２、１２２４の方法（代替形態２）を取るべきか、またはブロック１２１８、１２２２、１２２４の方法（代替形態３）を取るべきかを決定し得る。たとえば、代替形態１は、次の周期的ＣＳＩ−ＲＳまたはＳＳ機会までの時間がしきい値を超える場合に使用され得る。
【０１２６】
[00144]代替形態２は、次の周期的ＣＳＩ−ＲＳまたはＳＳ機会までの時間がしきい値を下回る場合に使用され得る。
【０１２７】
[00145]代替形態３は、基地局が、いくつかの制約により、非周期的ＣＳＩ−ＲＳをスケジュールすることができないかまたはビーム報告をトリガすることができない場合に使用され得る。
【０１２８】
[00146]代替形態１、２または３のいずれも可能でない場合、ＵＥは、既存のビーム障害回復手順を使用し得る。
【０１２９】
[00147]例示的な実施形態では、基地局は、たとえば、ＵＥのＢＰＬ損失インジケーションがその上で通信された基地局ＲＸビームを使用して、「ビーム相反ケース（beam-reciprocal case）」を通して、またはＵＥのＢＰＬ損失インジケーションがその上で通信されたＢＰＬに関連付けられたＤＬビームの場合には「非ビーム相反ケース（non-beam-reciprocal case）」を通して、ダウンリンク（ＤＬ）の機能していない制御ＢＰＬを識別し得る。
【０１３０】
[00148]図１３は、本開示の様々な態様による、通信システムのための装置１３００の機能ブロック図である。装置１３００は、ビーム障害検出を実施するための手段１３０２を備える。いくつかの実施形態では、ビーム障害検出を実施するための手段１３０２は、方法１２００の動作ブロック１２０２（図１２）において説明された機能のうちの１つまたは複数を実施するように構成され得る。例示的な実施形態では、ビーム障害検出を実施するための手段１３０２は、ＵＥ６５０が、たとえば、コントローラ／プロセッサ６５９、メモリ６６０、ＲＸプロセッサ６５６、受信機６５４、および関係する回路（図６）を使用してビーム障害検出を実施することを備え得る。
【０１３１】
[00149]装置１３００は、いずれかの通信制御ビームが機能していないかどうかを決定するための手段１３０４をさらに備える。いくつかの実施形態では、いずれかの通信制御ビームが機能していないかどうかを決定するための手段１３０４は、方法１２００の動作ブロック１２０４（図１２）において説明された機能のうちの１つまたは複数を実施するように構成され得る。例示的な実施形態では、いずれかの通信制御ビームが機能していないかどうかを決定するための手段１３０４は、ＵＥ６５０が、たとえば、コントローラ／プロセッサ６５９、メモリ６６０、ＲＸプロセッサ６５６、受信機６５４、および関係する回路（図６）を使用してビーム障害検出を実施することを備え得る。
【０１３２】
[00150]装置１３００は、少なくとも１つの通信制御ビームが利用可能であるかどうかを決定するための手段１３０６をさらに備える。いくつかの実施形態では、少なくとも１つの通信制御ビームが利用可能であるかどうかを決定するための手段１３０６は、方法１２００の動作ブロック１２０６（図１２）において説明された機能のうちの１つまたは複数を実施するように構成され得る。例示的な実施形態では、少なくとも１つの通信制御ビームが利用可能であるかどうかを決定するための手段１３０６は、ＵＥ６５０が、たとえば、コントローラ／プロセッサ６５９、メモリ６６０、ＲＸプロセッサ６５６、受信機６５４、および関係する回路（図６）を使用して、どの制御ビームが利用可能であり得るかを決定することを備え得る。
【０１３３】
[00151]装置１３００は、既存のビーム障害回復手順に従うための手段１３０８をさらに備える。いくつかの実施形態では、既存のビーム障害回復手順に従うための手段１３０８は、方法１２００の動作ブロック１２０８（図１２）において説明された機能のうちの１つまたは複数を実施するように構成され得る。例示的な実施形態では、既存のビーム障害回復手順に従うための手段１３０８は、ＵＥ６５０が、たとえば、コントローラ／プロセッサ６５９、メモリ６６０、ＲＸプロセッサ６５６、受信機６５４、および関係する回路（図６）を使用して既存のビーム障害回復手順に従うことを備え得る。
【０１３４】
[00152]装置１３００は、少なくとも１つの利用可能な制御ビームを使用して明示的または暗黙的にＢＰＬ損失に関して基地局に通知するための手段１３１０をさらに備える。いくつかの実施形態では、少なくとも１つの利用可能な制御ビームを使用して明示的または暗黙的にＢＰＬ損失に関して基地局に通知するための手段１３１０は、方法１２００の動作ブロック１２１０（図１２）において説明された機能のうちの１つまたは複数を実施するように構成され得る。例示的な実施形態では、少なくとも１つの利用可能な制御ビームを使用して明示的または暗黙的にＢＰＬ損失に関して基地局に通知するための手段１３１０は、ＵＥ６５０が、たとえば、コントローラ／プロセッサ６５９、メモリ６６０、ＲＸプロセッサ６５６、受信機６５４、ＴＸプロセッサ６６８、送信機６５４、および関係する回路（図６）を使用して、既存の制御ビームを介して部分的ＢＰＬ損失を基地局に通信することを備え得る。
【０１３５】
[00153]装置１３００は、非周期的ＣＳＩ−ＲＳ送信をスケジュールし、ＵＥからの非周期的ビームステータス報告をトリガするための手段１３１４をさらに備える。いくつかの実施形態では、非周期的ＣＳＩ−ＲＳ送信をスケジュールし、ＵＥからの非周期的ビームステータス報告をトリガするための手段１３１４は、方法１２００の動作ブロック１２１４（図１２）において説明された機能のうちの１つまたは複数を実施するように構成され得る。例示的な実施形態では、非周期的ＣＳＩ−ＲＳ送信をスケジュールし、ＵＥからの非周期的ビームステータス報告をトリガするための手段１３１４は、基地局６１０が、たとえば、コントローラ／プロセッサ６７５、メモリ６７６、ＴＸプロセッサ６１６、送信機６１８、および関係する回路（図６）を使用して、非周期的ＣＳＩ−ＲＳ送信をスケジュールすることを備え得る。
【０１３６】
[00154]装置１３００は、周期的ＣＳＩ−ＲＳまたはＳＳに基づいてＵＥからの非周期的ビームステータス報告をトリガするための手段１３１６をさらに備える。いくつかの実施形態では、周期的ＣＳＩ−ＲＳまたはＳＳに基づいてＵＥからの非周期的ビームステータス報告をトリガするための手段１３１６は、方法１２００の動作ブロック１２１６（図１２）において説明された機能のうちの１つまたは複数を実施するように構成され得る。例示的な実施形態では、周期的ＣＳＩ−ＲＳまたはＳＳに基づいてＵＥからの非周期的ビームステータス報告をトリガするための手段１３１６は、基地局６１０が、たとえば、コントローラ／プロセッサ６７５、メモリ６７６、ＴＸプロセッサ６１６、送信機６１８、および関係する回路（図６）を使用して、周期的ＣＳＩ−ＲＳまたはＳＳ送信を使用してＵＥからの非周期的ビームステータス報告をトリガすることを備え得る。
【０１３７】
[00155]装置１３００は、構成を更新するための手段１３１８をさらに備える。いくつかの実施形態では、構成を更新するための手段１３１８は、方法１２００の動作ブロック１２１８（図１２）において説明された機能のうちの１つまたは複数を実施するように構成され得る。例示的な実施形態では、構成を更新するための手段１３１８は、基地局６１０が、たとえば、コントローラ／プロセッサ６７５、メモリ６７６、ＴＸプロセッサ６１６、送信機６１８、コントローラ／プロセッサ６５９、メモリ６６０、ＴＸプロセッサ６６８、送信機６５４、および関係する回路（図６）を使用して、１つまたは複数の構成を更新することを備え得る。
【０１３８】
[00156]装置１３００は、新しいビーム情報とともにビームステータス報告を送信するための手段１３２２をさらに備える。いくつかの実施形態では、新しいビーム情報とともにビーム報告を送信するための手段１３２２は、方法１２００の動作ブロック１２２２（図１２）において説明された機能のうちの１つまたは複数を実施するように構成され得る。例示的な実施形態では、新しいビーム情報とともにビームステータス報告を送信するための手段１３２２は、ＵＥ６５０が、基地局から非周期的ＣＳＩ−ＲＳ送信（ブロック１３１４）を受信した後に、あるいは基地局から周期的ＣＳＩ−ＲＳ信号または周期的ＳＳ信号に基づく非周期的ビーム報告についての要求（ブロック１３１６）を受信した後に、たとえば、コントローラ／プロセッサ６５９、メモリ６６０、ＲＸプロセッサ６５６、受信機６５４、および関係する回路（図６）を使用して、新しいビーム情報とともにビーム報告を基地局に送信することを備え得る。
【０１３９】
[00157]装置１３００は、ＵＥビームステータス報告に基づいて新しいＢＰＬ追加メッセージを送信するための手段１３２４をさらに備える。いくつかの実施形態では、ＵＥビームステータス報告に基づいて新しいＢＰＬ追加メッセージを送信するための手段１３２４は、方法１２００の動作ブロック１２２４（図１２）において説明された機能のうちの１つまたは複数を実施するように構成され得る。例示的な実施形態では、ＵＥビームステータス報告に基づいて新しいＢＰＬ追加メッセージを送信するための手段１３２４は、基地局６１０が、たとえば、コントローラ／プロセッサ６７５、メモリ６７６、ＴＸプロセッサ６１６、送信機６１８、コントローラ／プロセッサ６５９、メモリ６６０、ＴＸプロセッサ６６８、送信機６５４、および関係する回路（図６）を使用して、新しいＢＰＬ情報をＵＥに送ることを備え得る。
【０１４０】
[00158]例示的な実施形態では、アクセスネットワークのために、複数の制御リンクが、異なるセルまたは基地局から来ることができる。たとえば、ＵＥは、たとえばキャリアアグリゲーション（ＣＡ）、二重接続性など、異なる技術を通して複数のリンクを有することができる。統合されたアクセスおよびバックホールのために、バックホールノードは、通信チャネルのロバストネスを改善するために複数のノードと接続することができる。複数ノード環境において起こる部分的ＢＰＬ損失の場合、良好なリンクをもつノードは、ビーム回復のために、機能していないリンクをもつノードを支援することができる。
【０１４１】
[00159]図１４は、本開示の様々な態様による、通信システムのためのコールフロー図１４００である。コールフロー図１４００は、アクセスネットワークまたはバックホールネットワークに関連付けられたＵＥを指し得る、ＵＥＦと呼ばれるＵＥ１４０２を示している。第１のノード、ノード１  １４０６は、ＵＥＦ１４０２に結合され、第２のノード、ノード２  １４０７に結合され得る。図１４に示されているように、ＵＥＦ１４０２とノード１  １４０６との間の通信リンクは機能していない。第１のノード、ノード１  １４０６および第２のノード、ノード２  １４０７は、たとえば、基地局または他の通信デバイスなど、通信デバイスであり得る。
【０１４２】
[00160]この例示的な実施形態では、良好な通信リンクをもつノード（ノード２  １４０７）が、ビーム回復のために、機能していないリンクをもつノード（ノード１  １４０６）を支援する。
【０１４３】
[00161]コール１４１０において、ＵＥＦ１４０２が、ノード１  １４０６とのＵＥＦ  ＢＰＬ損失に関してノード２  １４０７に通知する。
【０１４４】
[00162]コール１４１２において、ノード２  １４０７がＢＰＬ損失通知をノード１  １４０６にフォワーディングする。
【０１４５】
[00163]コール１４１４において、ノード１  １４０６が、ビーム探索のためにＣＳＩ−ＲＳ通信上のリソース割振りでノード２  １４０７に応答する。
【０１４６】
[00164]コール１４１６において、ノード２  １４０７が、非周期的ＣＳＩ−ＲＳのクロスノードスケジューリングを実施し、ノード１  １４０６のためのビームステータス報告をトリガする。
【０１４７】
[00165]コール１４１８において、ノード１  １４０６が、ビーム掃引を実施するために非周期的ＣＳＩ−ＲＳ送信をＵＥＦ１４０２に送信する。
【０１４８】
[00166]プロセス１４２０において、ＵＥＦ１４０２が、ノード１  １４０６のための候補通信ビームを識別する。
【０１４９】
[00167]コール１４２２において、ＵＥＦ１４０２が、ノード１  １４０６のための候補ビームとともにビームステータス報告をノード２  １４０７に送る。
【０１５０】
[00168]コール１４２４において、ノード２  １４０７がビーム報告をノード１  １４０６にフォワーディングする。
【０１５１】
[00169]コール１４２６において、ノード１  １４０６が、新しいＢＰＬ追加通信でノード２  １４０７に応答する。
【０１５２】
[00170]コール１４２８において、ノード２  １４０７が、ノード１  １４０６のための新しいＢＰＬ追加メッセージをＵＥＦ１４０２に送る。
【０１５３】
[00171]コール１４３０において、ＵＥＦ１４０２およびノード１  １４０６が、今度は、新たに追加されたＢＰＬを介して通信する。
【０１５４】
[00172]図１４に示されているように、図１２のステップ１２１０、１２１４、１２２２および１２２４（代替形態１）は、ＵＥＦ１４０２とノード１  １４０６との間の新しいリンクを確立するのを助けるために、良好なリンクのＵＥＦ１４０２とノード２  １４０７との間で行われる。この例示的な実施形態では、良好なリンクをもつノード（ノード２  １４０７）は、機能していないリンクをもつノード（ノード１  １４０６）のために、ＵＥＦ１４０２とのメッセージの受信および送信をサポートする。良好なリンクをもつノードは、ビーム回復のために、機能していないリンクのノードと情報を交換する。
【０１５５】
[00173]図１５は、本開示の様々な態様による、通信システムのためのコールフロー図１５００である。コールフロー図１５００は、ＵＥＦ１４０２と、第１のノード、ノード１  １４０６と、第２のノード、ノード２  １４０７とを示している。図１５に示されているように、ＵＥＦ１４０２とノード１  １４０６との間の通信リンクは機能していない。
【０１５６】
[00174]この例示的な実施形態では、良好な通信リンクをもつノード（ノード２  １４０７）が、ビーム回復のために、機能していないリンクをもつノード（ノード１  １４０６）を支援する。
【０１５７】
[00175]コール１５１０において、ＵＥＦ１４０２が、ノード１  １４０６とのＵＥＦ  ＢＰＬ損失に関してノード２  １４０７に通知する。
【０１５８】
[00176]コール１５１２において、ノード２  １４０７がＢＰＬ損失通知をノード１  １４０６にフォワーディングする。
【０１５９】
[00177]コール１５１４において、ノード１  １４０６が、ビーム探索のためにＣＳＩ−ＲＳ通信上のリソース割振りでノード２  １４０７に応答する。
【０１６０】
[00178]コール１５１６において、ノード２  １４０７が、ノード１  １４０６のための非周期的ビームステータス報告を生成するようにＵＥＦ１４０２をトリガする。
【０１６１】
[00179]コール１５１８において、ノード１  １４０６が、ビーム掃引を実施するために周期的ＣＳＩ−ＲＳ送信またはＳＳ送信をＵＥＦに送信する。
【０１６２】
[00180]プロセス１５２０において、ＵＥＦ１４０２が、ノード１  １４０６のための候補通信ビームを識別する。
【０１６３】
[00181]コール１５２２において、ＵＥＦ１４０２が、ノード１  １４０６のための候補ビームとともにビームステータス報告をノード２  １４０７に送る。
【０１６４】
[00182]コール１５２４において、ノード２  １４０７がビームステータス報告をノード１  １４０６にフォワーディングする。
【０１６５】
[00183]コール１５２６において、ノード１  １４０６が、新しいＢＰＬ追加通信でノード２  １４０７に応答する。
【０１６６】
[00184]コール１５２８において、ノード２  １４０７が、ノード１  １４０６のための新しいＢＰＬ追加メッセージをＵＥＦ１４０２に送る。
【０１６７】
[00185]コール１５３０において、ＵＥＦ１４０２およびノード１  １４０６が、今度は、新たに追加されたＢＰＬを介して通信する。
【０１６８】
[00186]図１５に示されているように、図１２のステップ１２１０、１２１６、１２２２および１２２４（代替形態２）は、図１５では、良好なリンクをもつノード（ノード２  １４０７）が非周期的ＣＳＩ−ＲＳ送信のクロスノードスケジューリングを実施しないことを除いて、図１４に示されているものと同様に行われる。
【０１６９】
[00187]図１６は、本開示の様々な態様による、通信システムのためのコールフロー図１６００である。コールフロー図１６００は、ＵＥＦ１４０２と、第１のノード、ノード１  １４０６と、第２のノード、ノード２  １４０７とを示している。図１６に示されているように、ＵＥＦ１４０２とノード１  １４０６との間の通信リンクは機能していない。
【０１７０】
[00188]この例示的な実施形態では、良好な通信リンクをもつノード（ノード２  １４０７）が、ビーム回復のために、機能していないリンクをもつノード（ノード１  １４０６）を支援する。
【０１７１】
[00189]コール１６１０において、ＵＥＦ１４０２が、ノード１  １４０６とのＵＥＦ  ＢＰＬ損失に関してノード２  １４０７に通知する。
【０１７２】
[00190]コール１６１２において、ノード２  １４０７がＢＰＬ損失通知をノード１  １４０６にフォワーディングする。
【０１７３】
[00191]コール１６１４において、ノード１  １４０６が、ビーム障害回復手順のために構成を更新する。
【０１７４】
[00192]コール１６１６において、ノード２  １４０７が、ノード１  １４０６の更新された構成をＵＥＦ１４０２に中継する。
【０１７５】
[00193]コール１６１８において、ＵＥＦ１４０２およびノード１  １４０６が、更新された構成に従ってビーム障害回復を実施する。
【０１７６】
[00194]図１６に示されているように、図１２のステップ１２１０、１２１８、１２２２および１２２４（代替形態３）は、良好なリンクをもつノード（ノード２  １４０７）が、ＵＥＦ１４０２からの損失インジケーションをフォワーディングし、更新された構成をＵＥＦ１４０２に中継することによって、機能していないリンクをもつノード（ノード１  １４０６）を支援するように実施される。クロスノードスケジューリングはなく、また、良好なリンクをもつノード（ノード２  １４０７）と、機能していないリンクをもつノード（ノード１  １４０６）との間には、より少ない協調と、より少ない遅延とがある。
【０１７７】
[00195]図１７は、本開示の様々な態様による、通信システム１７００のための図である。通信システム１７００は、ＵＥＦ１７０２と、ノード１  １７０６と、ノード２  １７０７と、ノード３  １７０８と、ノード４  １７０９とを示している。この例では、良好なリンクをもつノードは、ビーム障害回復手順に関与するために、電力節約モードにあり得る他のバックアップノードとも接触し得る。たとえば、ＵＥＦ１７０２とノード１  １７０６との間のＢＰＬ損失インジケーションを受信すると、ノード２  １７０７は、バックアップノード３  １７０８およびノード４  １７０９を起動し、ＵＥＦ１７０２が候補ビームを識別するためのより多くの機会を有するように、より頻繁にＳＳ信号を送信するようにそれらのノードに要求し得る。
【０１７８】
[00196]図１８は、本開示の様々な態様による通信システムのためのコールフロー図１８００である。コールフロー図１８００は、基地局１８０６と通信しているＵＥ１８０２を示している。
【０１７９】
[00197]コール１８１０において、ＵＥ１８０２が、基地局１８０６とのＵＥ  ＢＰＬ損失について基地局１８０６に通知する。
【０１８０】
[00198]コール１８１８において、基地局が、ＵＥへの非周期的ＣＳＩ−ＲＳをスケジュールし、ＵＥからの非周期的ビーム報告をトリガし得る。代替的に、基地局は、周期的ＣＳＩ−ＲＳまたはＳＳに基づいてＵＥからの非周期的ビーム報告をトリガし得る。
【０１８１】
[00199]コール１８２２において、ＵＥ１８０２が、候補ビームとともにビームステータス報告を基地局１８０６に送る。
【０１８２】
[00200]コール１８２６において、基地局が、新しいＢＰＬ追加メッセージをＵＥ１８０２に送る。
【０１８３】
[00201]コール１８３０において、ＵＥ１８０２および基地局１８０６が、今度は、新たに追加されたＢＰＬを介して通信する。
【０１８４】
[00202]例示的な実施形態では、部分的ＢＰＬ損失回復は、ＵＥが基地局と通信するために少なくとも１つの良好な制御ＢＰＬを使用する。この良好な制御ＢＰＬを使用して、非周期的ＣＳＩ−ＲＳは、ＵＥが、次の周期的ＣＳＩ−ＲＳまたはＳＳ機会を待つ必要なしに、ＢＰＬ損失検出の直後に新しい候補ビームについて探索するためにトリガされ得る。
【０１８５】
[00203]例示的な実施形態では、部分的ＢＰＬ損失回復のために、回復要求メッセージは、たとえば、ＰＵＣＣＨ通信において、良好なＢＰＬを通して送られ得、ネットワークは、サービング制御ビームの数に対応するアップリンク（ＵＬ）リソースの数のみを予約する必要がある。
【０１８６】
[00204]できる限り、ビーム管理の既存のフレームワークにおいて部分的ＢＰＬ損失を扱うことが望ましい。ビーム管理のための既存のフレームワークは、ビーム決定と、ビーム測定と、ビーム報告と、ビーム掃引とのための手順を定義するが、すべてのこれらの手順は、ネットワークによってトリガおよび制御される。
【０１８７】
[00205]例示的な実施形態では、ＵＥの部分的ＢＰＬ損失検出の直後に部分的ＢＰＬ損失に関して基地局に明示的または暗黙的に通知し、さらなるビーム管理手順を要求するために、ＵＥが開始する要求メッセージがレイヤ１またはレイヤ２において定義され得る。
【０１８８】
[00206]例示的な実施形態では、５ＧまたはＮＲ環境において動作する基地局は、ＵＥが部分的ＢＰＬ損失に関して基地局に明示的または暗黙的に通知し、さらなるビーム管理ステップを要求するために、レイヤ１またはレイヤ２における、ＵＥが開始した要求メッセージをサポートし得る。部分的ＢＰＬ損失の場合、ＵＥは、たとえば、良好なＢＰＬを使用するＰＵＣＣＨ通信を使用して部分的ＢＰＬ損失回復要求メッセージを送信し得る。ネットワークは、ＵＥが、要求を送信するために良好なＢＰＬに対応するリソースのうちの１つを使用することができるように、サービング制御ビームの数に対応するＵＬリソースの数を予約し得る。
【０１８９】
[00207]例示的な実施形態では、５ＧまたはＮＲ環境において動作する基地局は、サービング制御ビームの数に対応するＵＬリソースの数を予約し得る。ＵＥは、たとえば、良好なＢＰＬに対応するＵＬリソースを使用してＰＵＣＣＨ通信において部分的ＢＰＬ損失回復要求メッセージを送信し得る。ＬＴＥでは、ＵＬ許可について要求するためのスケジューリング要求（ＳＲ）である、ただ１つの要求信号がＰＵＣＣＨにおいて定義される。しかしながら、ビーム管理を伴う５ＧまたはＮＲでは、ＳＲに加えて、たとえば、部分的ＢＰＬ損失回復についての要求、ビーム改善要求、ＰＵＣＣＨ上のビーム障害回復要求など、異なる要求タイプの要求があり得る。ＵＥによって開始される異なる要求タイプを示すための新しいＰＵＣＣＨフォーマットが設計されてよい。要求メッセージは、ＵＥ電力を節約するために、いくつかのトリガリング条件に基づいてＵＥによってトリガされるので、要求メッセージはオンオフ信号であるべきである。
【０１９０】
[00208]例示的な実施形態では、５ＧまたはＮＲ環境において動作する基地局は、ＵＥによって開始される異なる要求メッセージを示すために、新しいオンオフＰＵＣＣＨフォーマットの設計をサポートしてよく、それらの要求メッセージのうちの１つは部分的ＢＰＬ損失の回復に関係する。
【０１９１】
[00209]本明細書で説明される技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））と、ＣＤＭＡの他の変形態とを含む。ＴＤＭＡシステムは、モバイル通信用グローバルシステム（ＧＳＭ）などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（商標）などの無線技術を実装し得る。ＵＴＲＡおよびＥ−ＵＴＲＡは、ユニバーサルモバイルテレコミュニケーションズシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明される技法は、無認可および／または共有帯域幅を介したセルラー（たとえば、ＬＴＥ）通信を含む、上述のシステムおよび無線技術、ならびに他のシステムおよび無線技術のために使用され得る。ただし、上記の説明は、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０１９２】
[00210]添付の図面に関して上記に記載された発明を実施するための形態は、例を説明しており、実装され得るまたは特許請求の範囲内に入る唯一の例を表すものではない。「例」および「例示的」という語は、本明細書で使用されるとき、「例、事例、または例示の働きをすること」を意味し、「好ましい」または「他の例よりも有利な」を意味しない。発明を実施するための形態は、説明される技法の理解を提供するための具体的な詳細を含む。しかしながら、これらの技法は、これらの具体的な詳細なしに実践されてよい。いくつかの事例では、説明される例の概念を不明瞭にすることを回避するために、よく知られている構造および装置がブロック図の形態で示されている。
【０１９３】
[00211]情報および信号は、様々な異なる技術および技法のいずれかを使用して表され得る。たとえば、上記の説明全体にわたって参照され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１９４】
[00212]本明細書の開示に関して説明される様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明される機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０１９５】
[00213]本明細書で説明される機能は、ハードウェア、プロセッサによって実行されるソフトウェア、ファームウェア、またはそれらの任意の組合せにおいて実装され得る。プロセッサによって実行されるソフトウェアで実装される場合、機能は、１つまたは複数の命令またはコードとして、コンピュータ可読媒体上に記憶されるか、あるいはコンピュータ可読媒体を介して送信され得る。他の例および実装形態は、本開示および添付の特許請求の範囲の範囲および趣旨内にある。たとえば、ソフトウェアの性質により、上記で説明された機能は、プロセッサによって実行されるソフトウェア、ハードウェア、ファームウェア、ハードワイヤリング、またはこれらのいずれかの組合せを使用して実装され得る。機能を実装する特徴はまた、機能の部分が異なる物理的ロケーションにおいて実装されるように分散されることを含めて、様々な位置に物理的に配置され得る。特許請求の範囲を含めて、本明細書で使用される「および／または」という用語は、２つ以上の項目の列挙中で使用されるとき、列挙された項目のうちのいずれか１つが単独で採用され得ること、または列挙された項目のうちの２つ以上の任意の組合せが採用され得ることを意味する。たとえば、組成が構成要素Ａ、Ｂ、および／またはＣを含んでいるものとして記載される場合、その組成は、Ａのみ、Ｂのみ、Ｃのみ、ＡとＢの組合せ、ＡとＣの組合せ、ＢとＣの組合せ、またはＡとＢとＣの組合せを含むことができる。また、特許請求の範囲内を含めて、本明細書で使用されるとき、項目の列挙（たとえば、「のうちの少なくとも１つ」または「のうちの１つまたは複数」などの語句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような包括的列挙を示す。
【０１９６】
[00214]コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用コンピュータもしくは専用コンピュータまたは汎用プロセッサもしくは専用プロセッサによってアクセスされ得る任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用してウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は通常、データを磁気的に再生し、ディスク（disc）は、データをレーザーで光学的に再生する。上記の組合せもコンピュータ可読媒体の範囲内に含まれる。
【０１９７】
[00215]本明細書で使用されるとき、「構成要素」、「データベース」、「モジュール」、「システム」などの用語は、ハードウェア、ファームウェア、ハードウェアとソフトウェアの組合せ、ソフトウェア、または実行中のソフトウェアのいずれか、コンピュータ関係のエンティティを指すものとする。たとえば、構成要素は、限定はされないが、プロセッサ上で実行されるプロセス、プロセッサ、オブジェクト、実行ファイル、実行スレッド、プログラム、および／またはコンピュータであり得る。例として、コンピューティングデバイス上で実行されるアプリケーションと、そのコンピューティングデバイスの両方が構成要素であり得る。１つまたは複数の構成要素がプロセスおよび／または実行スレッド内に常駐し得、１つの構成要素が１つのコンピュータ上に配置され得、および／または２つ以上のコンピュータ間に分散され得る。さらに、これらの構成要素は、様々なデータ構造を記憶している様々なコンピュータ可読媒体から実行し得る。これらの構成要素は、１つまたは複数のデータパケット（たとえば、信号を介して、ローカルシステム、分散システム内の別の構成要素と相互作用し、および／またはインターネットなどのネットワーク上で他のシステムと相互作用する１つの構成要素からのデータ）を有する信号に従うことなどによって、ローカルプロセスおよび／またはリモートプロセスを介して通信し得る。
【０１９８】
[00216]態様および実施形態について、いくつかの例に対する説明によって本出願で説明されたが、当業者なら、追加の実装形態および使用事例が、多くの異なる構成およびシナリオにおいて生じ得ることを理解されよう。本明細書で説明される新機軸は、多くの異なるプラットフォームタイプ、デバイス、システム、形状、サイズ、パッケージング構成にわたって実装され得る。たとえば、実施形態および／または使用は、集積チップ実施形態および他の非モジュール構成要素ベースのデバイス（たとえば、エンドユーザデバイス、車両、通信デバイス、コンピューティングデバイス、工業機器、小売り／購買デバイス、医療デバイス、ＡＩ対応デバイスなど）を介して生じ得る。いくつかの例は使用事例または適用例を特に対象とすることも対象としないこともあるが、説明される新機軸の適用可能性の広い組合せが発生し得る。実装形態は、チップレベルまたはモジュラー構成要素から、非モジュラー非チップレベル実装形態までの、さらには、説明される新機軸の１つまたは複数の態様を組み込んでいるアグリゲート、分散、もしくはＯＥＭデバイスまたはシステムまでの連続体にわたり得る。いくつかの実際的設定では、説明される態様および特徴を組み込んでいるデバイスはまた、特許請求および説明される実施形態の実装および実施のために、追加の構成要素および特徴を必ず含むであろう。たとえば、ワイヤレス信号の送信および受信は、アナログおよびデジタル目的のためのいくつかの構成要素（たとえば、アンテナ、ＲＦチェーン、電力増幅器、変調器、バッファ、プロセッサ、インターリーバ、アダー／加算器などを含むハードウェア構成要素）を必ず含む。本明細書で説明される新機軸は、異なるサイズ、形状、および構造の多種多様なデバイス、チップレベル構成要素、システム、分散構成、エンドユーザデバイスなどにおいて実践され得るものである。
【０１９９】
[00217]本開示についての以上の説明は、当業者が本開示を作成または使用することができるように提供された。本開示への様々な修正は当業者には容易に明らかとなり、本明細書で定義された一般原理は、本開示の範囲から逸脱することなく他の変形形態に適用され得る。したがって、本開示は、本明細書で説明される例および設計に限定されるべきでなく、本明細書で開示される原理および新規の特徴に合致する最も広い範囲を与えられるべきである。
【図１】
2020534739.tif 000003
【図２】
2020534739.tif 000004
【図３】
2020534739.tif 000005
【図４】
2020534739.tif 000006
【図５】
2020534739.tif 000007
【図６】
2020534739.tif 000008
【図７】
2020534739.tif 000009
【図８】
2020534739.tif 000010
【図９】
2020534739.tif 000011
【図１０】
2020534739.tif 000012
【図１１Ａ】
2020534739.tif 000013
【図１１Ｂ】
2020534739.tif 000014
【図１２】
2020534739.tif 000015
【図１３】
2020534739.tif 000016
【図１４】
2020534739.tif 000017
【図１５】
2020534739.tif 000018
【図１６】
2020534739.tif 000019
【図１７】
2020534739.tif 000020
【図１８】
2020534739.tif 000021
【国際調査報告】
2020534739.tif 000022
2020534739.tif 000023
2020534739.tif 000024
2020534739.tif 000025
2020534739.tif 000026